(57)【要約】本開示の様々な態様は、植物材料から植物油を抽出するための方法およびシステムに関する。システムは、マイクロ波エミッタ、抽出チャンバ、および冷却チャンバを含んでよい。マイクロ波エミッタによって放射されたマイクロ波放射線はマイクロ波吸収剤を誘電加熱してよく、それが植物材料の植物油を加熱してよい。植物材料の植物油は、抽出チャンバ中で揮発してよく、冷却チャンバ中へ向けられて凝縮してよい。【選択図】図１
2020515379.tif 000002
【特許請求の範囲】
【請求項１】
植物材料から油を抽出するためのシステムを提供することであって、（ａ）マイクロ波エミッタ、（ｂ）前記マイクロ波エミッタによって放射されたマイクロ波放射線が抽出チャンバ中へ向けられるように前記マイクロ波エミッタと連通する、抽出チャンバ、および（ｃ）前記抽出チャンバ中の揮発油が冷却チャンバ中へ向けられるように前記抽出チャンバと連通する、冷却チャンバを含む、システムを提供することと、
植物材料とマイクロ波吸収剤とを組み合わせることと、
前記植物材料および前記マイクロ波吸収剤を前記抽出チャンバ中へ挿入することと、
前記マイクロ波吸収剤に前記マイクロ波エミッタから放射されたマイクロ波放射線を照射し、それにより前記マイクロ波吸収剤の誘電加熱および／または前記マイクロ波吸収剤の界面分極による加熱を行い、前記植物材料を加熱し、前記植物材料から植物油を揮発させて揮発油を生成することと、
前記冷却チャンバ中で前記揮発油を凝縮させ、それにより凝縮油を生成することと、
前記凝縮油の一部を回収し、それにより食用に適した回収油を生成することと
を含む、植物材料から油を抽出する方法。
【請求項２】
前記植物材料を前記マイクロ波吸収剤と組み合わせることは、前記植物材料を、前記マイクロ波吸収剤を含むマイクロ波吸収組成物と組み合わせることを含み、
前記マイクロ波吸収組成物は約５０μｍ〜約５ｃｍの大きさの固体の混合物を含み、
前記固体の混合物の少なくとも一部の固体は前記マイクロ波吸収剤を含む、
請求項１に記載の方法。
【請求項３】
前記固体の混合物の前記固体は、約０．１μｍ〜約２５０μｍ、約０．１μｍ〜約５００μｍ、約０．１μｍ〜約１ｍｍ、約５０μｍ〜約５００μｍ、約１００μｍ〜約１ｍｍ、約５００μｍ〜約５ｍｍ、約１ｍｍ〜約１ｃｍ、または約５ｍｍ〜約５ｃｍの大きさである、請求項２に記載の方法。
【請求項４】
前記固体の混合物は粉末、グリット、および／またはフレークを含む、請求項２または請求項３に記載の方法。
【請求項５】
前記固体の混合物はビーズ、規則充填物、繊維、および／またはロッドを含む、請求項２または請求項３に記載の方法。
【請求項６】
前記固体の混合物は金属、ガラス、セラミック、砂、および／または粘土を含む、請求項２〜５のいずれか一項に記載の方法。
【請求項７】
前記植物材料を前記マイクロ波吸収剤と組み合わせることは、前記植物材料を、前記マイクロ波吸収剤を含むマイクロ波吸収組成物と組み合わせることを含み、
前記マイクロ波吸収組成物は少なくとも１つのロッド、チューブ、またはシートを含み、
前記少なくとも１つのロッド、チューブ、またはシートは約１ｃｍ〜約１００ｃｍの少なくとも１つの寸法を有し、
前記少なくとも１つのロッド、チューブ、またはシートは前記マイクロ波吸収剤を含む、
請求項１に記載の方法。
【請求項８】
前記少なくとも１つのロッド、チューブ、またはシートは約１ｃｍ〜約１０ｃｍ、約５ｃｍ〜約５０ｃｍ、または約１０ｃｍ〜約１００ｃｍの少なくとも１つの寸法を有する、請求項７に記載の方法。
【請求項９】
前記マイクロ波吸収組成物は、少なくとも１つのシートを含み、
前記植物材料を前記マイクロ波吸収剤と組み合わせることは、前記植物材料を前記シート上に広げ、前記シートを巻いてコイル状シートにすることを含む、
請求項７または請求項８に記載の方法。
【請求項１０】
前記マイクロ波吸収組成物は液体ではなく、前記マイクロ波吸収組成物は液体を含有しない、請求項２〜９のいずれか一項に記載の方法。
【請求項１１】
前記マイクロ波吸収組成物は固体構成要素および液体構成要素を含む、請求項２〜９のいずれか一項に記載の方法。
【請求項１２】
前記植物材料を前記マイクロ波吸収剤と組み合わせることは、前記植物材料を、前記マイクロ波吸収剤を含むマイクロ波吸収組成物と組み合わせることを含み、
前記マイクロ波吸収組成物は、１つまたは複数のマイクロ波吸収剤を含浸させた基材を含む、
先行請求項のいずれか一項に記載の方法。
【請求項１３】
前記基材はガラス、セラミック、粘土、塩、金属、砂、または破砕された岩である、請求項１２に記載の方法。
【請求項１４】
前記１つまたは複数のマイクロ波吸収剤は極性分子、双極子分子、炭素、炭酸塩、イオン、および／または前記基材内の不純物からなる、請求項１２または請求項１３に記載の方法。
【請求項１５】
前記マイクロ波吸収組成物は液体である、請求項１に記載の方法。
【請求項１６】
前記マイクロ波吸収剤は大気圧で３６０°Ｆ超の沸点を有する、先行請求項のいずれか一項に記載の方法。
【請求項１７】
前記マイクロ波吸収剤は大気圧で４５０°Ｆ超の沸点を有する、請求項１６に記載の方法。
【請求項１８】
前記マイクロ波吸収剤は水以外の化合物である、先行請求項のいずれか一項に記載の方法。
【請求項１９】
前記マイクロ波吸収剤は食品中に存在せず、典型的なヒトの食事中にも見られない化合物である、先行請求項のいずれか一項に記載の方法。
【請求項２０】
前記植物材料は２０重量％未満の水からなる、先行請求項のいずれか一項に記載の方法。
【請求項２１】
前記植物材料は１０重量％未満の水からなる、請求項２０に記載の方法。
【請求項２２】
前記マイクロ波吸収剤に照射する前に前記植物材料を乾燥させることをさらに含む、先行請求項のいずれか一項に記載の方法。
【請求項２３】
前記植物材料を均等に加熱するように、前記マイクロ波吸収剤に関して前記マイクロ波放射線の伝搬方向を変更することをさらに含む、先行請求項のいずれか一項に記載の方法。
【請求項２４】
前記マイクロ波吸収剤に関して前記マイクロ波放射線の前記伝搬方向を変更することは、前記マイクロ波吸収剤に照射しながら、前記植物材料および前記マイクロ波吸収剤を撹拌、振盪、または回転することを含む、請求項２３に記載の方法。
【請求項２５】
前記方法は、前記植物油、前記揮発油、前記凝縮油、または前記回収油の熱分解を引き起こさない、先行請求項のいずれか一項に記載の方法。
【請求項２６】
前記方法は、前記植物材料の熱分解を引き起こさない、先行請求項のいずれか一項に記載の方法。
【請求項２７】
前記抽出チャンバの内部の少なくとも１つの温度を監視することをさらに含む、先行請求項のいずれか一項に記載の方法。
【請求項２８】
前記抽出チャンバの内部の前記少なくとも１つの温度は、前記植物材料の温度および／または前記マイクロ波吸収剤の温度を含む、請求項２７に記載の方法。
【請求項２９】
前記抽出チャンバの内部の温度を、約５０°Ｆ〜約４５０°Ｆ、約５０°Ｆ〜約１００°Ｆ、約５０°Ｆ〜約１５０°Ｆ、約３００°Ｆ〜約４５０°Ｆ、約３１４°Ｆ〜約４５０°Ｆ、約３１４°Ｆ〜約４５０°Ｆ、約３１４°Ｆ〜約４２７°Ｆ、約３１４°Ｆ〜約４００°Ｆ、約３６５°Ｆ〜約４５０°Ｆ、約３６５°Ｆ〜約４２７°Ｆ、または約３６５°Ｆ〜約４００°Ｆで維持することをさらに含む、先行請求項のいずれか一項に記載の方法。
【請求項３０】
前記抽出チャンバの内部の温度を約３００°Ｆ〜約４５０°Ｆで維持することをさらに含む、請求項２９に記載の方法。
【請求項３１】
温度を維持することは、前記マイクロ波放射線の出力を調整することを含む、請求項２９または請求項３０に記載の方法。
【請求項３２】
前記マイクロ波放射線の前記出力を調整することは、前記マイクロ波吸収剤に照射する前記マイクロ波放射線の強度を調整すること、および／または前記マイクロ波吸収剤に照射する前記マイクロ波放射線のオンオフを繰り返すことのいずれかを含む、請求項３１に記載の方法。
【請求項３３】
前記冷却チャンバの少なくとも１つの表面を約７０°Ｆ〜約３１４°Ｆの温度で維持することをさらに含む、先行請求項のいずれか一項に記載の方法。
【請求項３４】
前記冷却チャンバの前記少なくとも１つの表面を、約８０°Ｆ〜約３１４°Ｆ、約１００°Ｆ〜約３１４°Ｆ、約１５０°Ｆ〜約３１４°Ｆ、約２００°Ｆ〜約３１４°Ｆ、約２１２°Ｆ〜約３１４°Ｆ、約２５０°Ｆ〜約３１４°Ｆ、約３００°Ｆ〜約３１４°Ｆ、約８０°Ｆ〜約３００°Ｆ、約１００°Ｆ〜約３００°Ｆ、約１５０°Ｆ〜約３００°Ｆ、約２００°Ｆ〜約３００°Ｆ、約２１２°Ｆ〜約３００°Ｆ、約２５０°Ｆ〜約３００°Ｆ、約８０°Ｆ〜約２５０°Ｆ、約１００°Ｆ〜約２５０°Ｆ、約１５０°Ｆ〜約２５０°Ｆ、約２００°Ｆ〜約２５０°Ｆ、約２１２°Ｆ〜約２５０°Ｆ、約８０°Ｆ〜約２００°Ｆ、約１００°Ｆ〜約２００°Ｆ、約１５０°Ｆ〜約２００°Ｆ、約８０°Ｆ〜約１５０°Ｆ、約１００°Ｆ〜約１５０°Ｆ、または約８０°Ｆ〜約１００°Ｆの温度で維持することを含む、請求項３３に記載の方法。
【請求項３５】
前記冷却チャンバの少なくとも１つの表面を、約０°Ｆ〜約−３２５°Ｆ、約０°Ｆ〜約−５０°Ｆ、約０°Ｆ〜約−１００°Ｆ、約−５０°Ｆ〜約−１５０°Ｆ、約５０°Ｆ〜約０°Ｆ、約５０°Ｆ〜約３０°Ｆ、約３０°Ｆ〜約１０°Ｆ、または約３０°Ｆ〜０°Ｆの温度で維持することをさらに含む、請求項１〜３２のいずれかに記載の方法。
【請求項３６】
前記抽出チャンバに真空を適用することをさらに含む、先行請求項のいずれか一項に記載の方法。
【請求項３７】
前記回収油から水を除去することをさらに含む、先行請求項のいずれか一項に記載の方法。
【請求項３８】
前記回収油から水を除去することは、前記冷却チャンバの少なくとも一部を前記冷却チャンバの内圧で水の沸点超の温度で維持し、それにより前記冷却チャンバ中または前記回収油中で水が凝縮するのを阻止することを含む、請求項３７に記載の方法。
【請求項３９】
前記回収油から水を除去することは前記回収油から水相を分離することを含む、請求項３８に記載の方法。
【請求項４０】
前記揮発油、前記凝縮油、および前記回収油には有機溶媒が存在しない、先行請求項のいずれか一項に記載の方法。
【請求項４１】
前記揮発油、前記凝縮油、および前記回収油にはブタン、エタノール、およびクロロホルムが存在しない、先行請求項のいずれか一項に記載の方法。
【請求項４２】
前記植物材料および前記マイクロ波吸収剤を前記抽出チャンバ中へ挿入することは、前記植物材料および前記マイクロ波吸収剤を含むカートリッジを前記抽出チャンバ中へ挿入することを含む、先行請求項のいずれか一項に記載の方法。
【請求項４３】
前記抽出チャンバは第１の開口および第２の開口を含み、
前記植物材料および前記マイクロ波吸収剤は前記第１の開口を通して前記抽出チャンバ中へ挿入され、
前記抽出チャンバ中の前記揮発油は前記第２の開口を通して前記冷却チャンバ中へ向けられる、
先行請求項のいずれか一項に記載の方法。
【請求項４４】
前記揮発油が前記第１の開口を通って前記抽出チャンバから出られないように、前記マイクロ波吸収剤に照射する前に前記抽出チャンバの前記第１の開口を密封することをさらに含む、請求項４３に記載の方法。
【請求項４５】
前記植物材料はアサまたはカンナビスを含む、先行請求項のいずれか一項に記載の方法。
【請求項４６】
前記植物材料はｃａｎｎａｂｉｓ  ｓａｔｉｖａ、ｃａｎｎａｂｉｓ  ｉｎｄｉｃａ、ｃａｎｎａｂｉｓ  ｒｕｄｅｒａｌｉｓ、カンナビス種もしくは科の交雑種、または前述の２つ以上の組み合わせを含む、請求項４５に記載の方法。
【請求項４７】
前記揮発油、前記凝縮油、および前記回収油はカンナビジオール（ＣＢＤ）、カンナビジオール酸（ＣＢＤＡ）、カンナビジバリン（ＣＢＤＶ）、テトラヒドロカンナビノール（ＴＨＣ）、デルタ−９−テトラヒドロカンナビノール、デルタ−８−テトラヒドロカンナビノール、テトラヒドロカンナビノール酸（ＴＨＣＡ）、テトラヒドロカンナビバリン（ＴＨＣＶ）、カンナビノール（ＣＢＮ）、カンナビゲロール、カンナビクロメン、化学変換カンナビノイド、任意の他のカンナビノイド、リナロール、カリオフィレン、ミルセン、リモネン、フムレン、ピネン、または前述の２つ以上の組み合わせを含む、先行請求項のいずれか一項に記載の方法。
【請求項４８】
前記揮発油、前記凝縮油、および前記回収油はテトラヒドロカンナビノール（ＴＨＣ）を含む、請求項４７に記載の方法。
【請求項４９】
前記揮発油、前記凝縮油、および前記回収油はカンナビジオール（ＣＢＤ）を含む、請求項４７または請求項４８に記載の方法。
【請求項５０】
前記回収油は医薬製剤での使用に適している、先行請求項のいずれか一項に記載の方法。
【請求項５１】
前記回収油は向精神物質としての使用に適している、先行請求項のいずれか一項に記載の方法。
【請求項５２】
前記方法は水蒸気蒸留を含まない、先行請求項のいずれか一項に記載の方法。
【請求項５３】
前記植物材料から揮発する前記植物油の質量は前記植物材料から揮発する水の質量より大きい、先行請求項のいずれか一項に記載の方法。
【請求項５４】
前記植物材料から揮発する植物油の前記質量の、前記植物材料から揮発する水の前記質量に対する比は、少なくとも約１：３、約１：２、約１：１、約２：１、または約３：１である、先行請求項のいずれか一項に記載の方法。
【請求項５５】
前記植物油の沸点は２１２°Ｆ超である、先行請求項のいずれか一項に記載の方法。
【請求項５６】
植物材料から油を抽出するためのシステムを提供することであって、（ａ）マイクロ波エミッタ、（ｂ）前記マイクロ波エミッタによって放射されたマイクロ波放射線が抽出チャンバ中へ向けられるように前記マイクロ波エミッタと連通する、抽出チャンバ、および（ｃ）前記抽出チャンバ中の揮発油が冷却チャンバ中へ向けられるように前記抽出チャンバと連通する、冷却チャンバを含む、システムを提供することと、
植物材料とマイクロ波吸収剤とを組み合わせることと、
前記植物材料および前記マイクロ波吸収剤を前記抽出チャンバ中へ挿入することと、
前記マイクロ波吸収剤に前記マイクロ波エミッタから放射されたマイクロ波放射線を照射し、それにより前記マイクロ波吸収剤の誘電加熱および／または前記マイクロ波吸収剤の界面分極による加熱のいずれかを行い、前記植物材料を約３１４°Ｆ〜約４５０°Ｆの温度に加熱し、前記植物材料からテトラヒドロカンナビノール（ＴＨＣ）および／またはカンナビジオール（ＣＢＤ）を揮発させてＴＨＣおよび／またはＣＢＤを含む揮発油を生成することと、
前記冷却チャンバ中で前記揮発油を約７０°Ｆ〜約３６５°の温度に凝縮させ、それによりＴＨＣおよび／またはＣＢＤを含む凝縮油を生成することと、
前記凝縮油の一部を回収し、それにより食用に適したＴＨＣおよび／またはＣＢＤを含む回収油を生成することと
を含む、アサまたはカンナビスからＴＨＣおよび／またはＣＢＤを抽出する方法であって、
前記植物材料はアサまたはカンナビスであり、
前記方法はＴＨＣまたはＣＢＤの熱分解を引き起こさない、
方法。
【請求項５７】
マイクロ波エミッタと、
前記マイクロ波エミッタによって放射されたマイクロ波放射線が抽出チャンバ中へ向けられるように前記マイクロ波エミッタと連通する、抽出チャンバと、
前記抽出チャンバ中に配置されたマイクロ波吸収組成物であって、前記マイクロ波吸収組成物はマイクロ波吸収剤を含み、前記マイクロ波吸収組成物は食品ではない、マイクロ波吸収組成物と、
前記抽出チャンバ中に配置された植物材料と、
前記抽出チャンバ中の揮発油が冷却チャンバ中へ向けられるように前記抽出チャンバと連通する、冷却チャンバと
を含む、植物材料から油を抽出するためのシステムであって、
前記システムは、前記マイクロ波エミッタから放射されたマイクロ波放射線によって、前記マイクロ波吸収剤の誘電加熱および／または前記マイクロ波吸収剤の界面分極による加熱のいずれかを行うように構成され、
前記システムは、前記マイクロ波吸収組成物から放射された熱放射によって前記植物材料を加熱し、それにより前記植物材料の油を揮発させて揮発油を生成するように構成され、
前記冷却チャンバは前記揮発油の少なくとも一部を凝縮させるように動作可能である、
システム。
【請求項５８】
前記マイクロ波吸収組成物は、約０．１μｍ〜約５ｃｍの大きさの固体の混合物を含み、
前記固体の混合物の少なくとも一部の固体は前記マイクロ波吸収剤を含む、
請求項５７に記載のシステム。
【請求項５９】
前記固体の混合物の前記固体は、約０．１μｍ〜約２５０μｍ、約０．１μｍ〜約５００μｍ、約０．１μｍ〜約１ｍｍ、約５０μｍ〜約５００μｍ、約１００μｍ〜約１ｍｍ、約５００μｍ〜約５ｍｍ、約１ｍｍ〜約１ｃｍ、または約５ｍｍ〜約５ｃｍの大きさである、請求項５８に記載のシステム。
【請求項６０】
前記固体の混合物は粉末、グリット、および／またはフレークを含む、請求項５８または請求項５９に記載のシステム。
【請求項６１】
前記固体の混合物はビーズ、規則充填物、繊維、またはロッドを含む、請求項５８または請求項５９に記載のシステム。
【請求項６２】
前記固体の混合物は金属、ガラス、セラミック、砂、および／または粘土を含む、請求項５８〜６１のいずれか一項に記載のシステム。
【請求項６３】
前記マイクロ波吸収組成物は少なくとも１つのロッド、チューブ、またはシートを含み、
前記少なくとも１つのロッド、チューブ、またはシートは約１ｃｍ〜約１００ｃｍの少なくとも１つの寸法を有し、
前記少なくとも１つのロッド、チューブ、またはシートは前記マイクロ波吸収剤を含む、
請求項５７に記載のシステム。
【請求項６４】
前記少なくとも１つのロッド、チューブ、またはシートは約１ｃｍ〜約１０ｃｍ、約５ｃｍ〜約５０ｃｍ、または約１０ｃｍ〜約１００ｃｍの少なくとも１つの寸法を有する、請求項６３に記載のシステム。
【請求項６５】
前記マイクロ波吸収組成物は少なくとも１つのシートを含み、前記少なくとも１つのシートのシート（複数可）はコイル状シート（複数可）として存在する、請求項６３または請求項６４に記載のシステム。
【請求項６６】
前記マイクロ波吸収組成物は液体ではなく、前記マイクロ波吸収組成物は液体を含有しない、請求項５７〜６５のいずれか一項に記載のシステム。
【請求項６７】
前記マイクロ波吸収組成物は固体構成要素および液体構成要素を含む、請求項５７〜６５のいずれか一項に記載のシステム。
【請求項６８】
前記マイクロ波吸収組成物は、１つまたは複数のマイクロ波吸収剤を含浸させた基材を含む、請求項５７〜６７のいずれか一項に記載のシステム。
【請求項６９】
前記基材はガラス、セラミック、粘土、塩、金属、砂、または破砕された岩である、請求項６８に記載のシステム。
【請求項７０】
前記１つまたは複数のマイクロ波吸収剤は極性分子、双極子分子、炭素、炭酸塩、イオン、および／または前記基材内の不純物からなる、請求項６８または請求項６９に記載のシステム。
【請求項７１】
前記マイクロ波吸収組成物は液体である、請求項５７に記載の方法。
【請求項７２】
前記マイクロ波吸収剤は大気圧で３６０°Ｆ超の沸点を有する、請求項５７〜７１のいずれか一項に記載のシステム。
【請求項７３】
前記マイクロ波吸収剤は大気圧で４５０°Ｆ超の沸点を有する、請求項７２に記載のシステム。
【請求項７４】
前記マイクロ波吸収剤は水以外の化合物である、請求項５７〜７３のいずれか一項に記載のシステム。
【請求項７５】
前記マイクロ波吸収剤は食品中に存在せず、またはヒトの食事中にも見られない、請求項５７〜７４のいずれか一項に記載のシステム。
【請求項７６】
前記抽出チャンバは、前記植物材料および前記マイクロ波吸収組成物が前記抽出チャンバに出入りできるような形状および大きさの第１の開口を含む、請求項５７〜７５のいずれか一項に記載のシステム。
【請求項７７】
取り外し可能カートリッジをさらに含み、
前記取り外し可能カートリッジは前記植物材料および前記マイクロ波吸収組成物を含み、
前記第１の開口は前記取り外し可能カートリッジが前記抽出チャンバに出入りできるような形状および大きさである、
請求項７６に記載のシステム。
【請求項７８】
前記取り外し可能カートリッジの外壁は前記抽出チャンバの内壁と摺動自在に係合する、請求項７７に記載のシステム。
【請求項７９】
密封パックをさらに含み、前記密封パックは前記第１の開口を密封し、それにより揮発油が前記第１の開口を通って前記抽出チャンバを出ることを阻止する、請求項７６〜７８のいずれか一項に記載のシステム。
【請求項８０】
前記抽出チャンバは、前記揮発油が前記抽出チャンバを出て前記冷却チャンバに入れるように構成された第２の開口を含む、請求項５７〜７９のいずれか一項に記載のシステム。
【請求項８１】
前記第２の開口の大きさはどの寸法においても５ｃｍを超えない、請求項８０に記載のシステム。
【請求項８２】
前記第２の開口の大きさは、どの寸法においても４ｃｍ、３ｃｍ、２ｃｍ、１ｃｍ、または５ｍｍのいずれかを超えない、請求項８１に記載のシステム。
【請求項８３】
フィルタをさらに含み、
前記フィルタは前記植物材料と前記第２の開口との間に位置し、
前記フィルタは、前記第２の開口を通って前記抽出チャンバを出ることによる固体微粒子の通過を阻止するように構成され、
前記フィルタは、前記第２の開口を通した前記揮発油の通過を可能にするように構成される、
請求項８０〜８２のいずれか一項に記載のシステム。
【請求項８４】
前記抽出チャンバは第１の開口および第２の開口を含み、
前記第１の開口は前記植物材料および前記マイクロ波吸収組成物が前記抽出チャンバに出入りできるような形状および大きさであり、
前記第１の開口は可逆的に密封され、それにより揮発油が前記第１の開口を通って前記抽出チャンバを出ることを阻止し、
前記第２の開口は揮発油が前記抽出チャンバを出て前記冷却チャンバに入れるように構成される、
請求項５７〜８３のいずれか一項に記載のシステム。
【請求項８５】
真空ポンプをさらに含み、前記真空ポンプは、前記抽出チャンバまたは前記抽出チャンバ内に配置された取り外し可能カートリッジのいずれかの内部の圧力を低下させるように動作可能である、請求項５７〜８４のいずれか一項に記載のシステム。
【請求項８６】
前記植物材料は２０重量％未満の水からなる、請求項５７〜８５のいずれか一項に記載のシステム。
【請求項８７】
前記植物材料は１０重量％未満の水からなる、請求項８６に記載のシステム。
【請求項８８】
約１００ｇ〜約１００ｋｇの植物材料を含む、請求項５７〜８７のいずれか一項に記載のシステム。
【請求項８９】
約１００ｇ〜約１ｋｇ、約２００ｇ〜約２ｋｇ、約３００ｇ〜約３ｋｇ、約４００ｇ〜約４ｋｇ、または約５００ｇ〜約５ｋｇ、約１ｋｇ〜約１０ｋｇ、約５ｋｇ〜約５０ｋｇ、または約１０ｋｇ〜約１００ｋｇの植物材料を含む、請求項８８に記載のシステム。
【請求項９０】
前記植物材料はアサまたはカンナビスを含む、請求項５７〜８９のいずれか一項に記載のシステム。
【請求項９１】
前記植物材料はｃａｎｎａｂｉｓ  ｓａｔｉｖａ、ｃａｎｎａｂｉｓ  ｉｎｄｉｃａ、ｃａｎｎａｂｉｓ  ｒｕｄｅｒａｌｉｓ、カンナビス種もしくは科の交雑種、または前述の２つ以上の組み合わせを含む、請求項９０に記載のシステム。
【請求項９２】
前記植物材料はテトラヒドロカンナビノール（ＴＨＣ）を含む、請求項９０または請求項９１に記載のシステム。
【請求項９３】
前記植物材料はカンナビジオール（ＣＢＤ）を含む、請求項９０〜９２のいずれか一項に記載のシステム。
【請求項９４】
マイクロ波エミッタと、
前記マイクロ波エミッタによって放射されたマイクロ波放射線が抽出チャンバ中へ向けられるように前記マイクロ波エミッタと連通する、抽出チャンバと、
前記抽出チャンバ中に配置されたマイクロ波吸収組成物であって、前記マイクロ波吸収組成物は食品ではなく、前記マイクロ波吸収組成物はマイクロ波吸収剤を含み、前記マイクロ波吸収剤は大気圧で３６０°Ｆ超の沸点を有する、マイクロ波吸収組成物と、
前記抽出チャンバ中に配置された約３５ｇ〜約５００ｋｇの植物材料であって、前記植物材料はアサまたはカンナビスであり、前記植物材料はテトラヒドロカンナビノール（ＴＨＣ）および／またはカンナビジオール（ＣＢＤ）を含む、植物材料と、
前記抽出チャンバ中の揮発したＴＨＣおよび／またはＣＢＤが冷却チャンバ中へ向けられるように前記抽出チャンバと連通する、冷却チャンバと
を含む、アサまたはカンナビスからＴＨＣおよび／またはＣＢＤを抽出するためのシステムであって、
前記抽出チャンバは第１の開口および第２の開口を含み、
前記第１の開口は前記植物材料および前記マイクロ波吸収組成物が前記抽出チャンバに出入りできるような形状および大きさであり、
前記第１の開口は可逆的に密封され、それにより揮発したＴＨＣおよび／またはＣＢＤが前記第１の開口を通って前記抽出チャンバを出ることを阻止し、
前記第２の開口は揮発したＴＨＣおよび／またはＣＢＤが前記抽出チャンバを出て前記冷却チャンバに入れるように構成され、
前記システムは、前記マイクロ波エミッタから放射されたマイクロ波放射線によって、前記マイクロ波吸収剤の誘電加熱および／または前記マイクロ波吸収剤の界面分極による加熱のいずれかを行うように構成され、
前記システムは前記マイクロ波吸収組成物から放射された熱放射によって前記植物材料を加熱するように構成され、
前記冷却チャンバは前記揮発したＴＨＣおよび／またはＣＢＤを凝縮させるように動作可能である、
システム。
【発明の詳細な説明】
【技術分野】
【０００１】
関連出願の相互参照
本出願は２０１６年１２月１日に出願された米国仮特許出願第６２／４２８，８６８号の優先権を主張し、その全体は参照により本明細書に組み込まれる。
【背景技術】
【０００２】
マイクロ波は、植物材料から揮発性の精油を水蒸気蒸留するために有効に利用されてきた。しかしながら、マイクロ波は、植物材料からカンナビノイド油または重質オレオレジンを有効に水蒸気蒸留することができなかった。たいていの植物油は非極性分子が主であり、効率的にマイクロ波を吸収しないため、植物材料を直接加熱乾燥して高沸点植物油およびオレオレジンを蒸発および蒸留するためのマイクロ波の使用も有効であると証明されていない。マイクロ波でオレオレジンを蒸留する試みはしばしば、所望の油が蒸発する前に植物材料が燃焼するという結果になるか、または植物油およびオレオレジンを熱劣化させる一方オレオレジンを蒸発させるのにあまり有効でない。ゆえに、より有効なマイクロ波蒸留方法が望ましい。
【発明の概要】
【０００３】
本発明は、植物材料をマイクロ波吸収剤と混合または接触することによって植物材料内の油およびオレオレジンを急速かつ均等に加熱する方法を提供する。このマイクロ波剤を使用することによって、蒸留された油の熱的破壊を引き起こすことなく、植物油は急速に加熱、揮発、および蒸留される。
【０００４】
本発明の様々な態様は、植物材料から油を抽出する方法に関する。方法は、植物材料から油を抽出するためのシステムを提供することを含んでよい。システムは、（ａ）マイクロ波エミッタ、（ｂ）マイクロ波エミッタによって放射されたマイクロ波放射線が抽出チャンバ中へ向けられるようにマイクロ波エミッタと連通する抽出チャンバ、および（ｃ）抽出チャンバ中の揮発油が冷却チャンバ中へ向けられるように抽出チャンバと連通する冷却チャンバを含んでよい。
【０００５】
方法は、植物材料とマイクロ波吸収剤とを組み合わせること、植物材料およびマイクロ波吸収剤を抽出チャンバ中へ挿入すること、マイクロ波吸収剤にマイクロ波エミッタから放射されたマイクロ波放射線を照射し、それによりマイクロ波吸収剤の誘電加熱および／またはマイクロ波吸収剤の界面分極もしくはＭａｘｗｅｌｌ−Ｗａｇｎｅｒ−Ｓｉｌｌａｒｓ分極による加熱を行い、植物材料を加熱し、植物材料から植物油を揮発させて揮発油を生成すること、冷却チャンバ中で揮発油を凝縮させ、それにより凝縮油を生成すること、ならびに凝縮油の一部を回収し、それにより食用に適した回収油を生成することをさらに含んでよい。植物材料は、主としてマイクロ波吸収剤から植物材料への熱伝達によって、例えば、植物材料の誘電加熱によってよりもむしろ熱放射または熱対流によって加熱されてよい。
【０００６】
マイクロ波吸収剤は様々なタイプの非極性基材もしくは非極性分子を含有する基材、イオンもしくは双極子分子を含有する基材からなってよく、または（１）マイクロ波吸収剤および任意のマイクロ波吸収組成物が両方とも食品ではない、または（２）マイクロ波吸収剤もしくは任意のマイクロ波吸収組成物のいずれかが食品のマイクロ波調製で使用される量より実質的に多い量で使用される（すなわち、マイクロ波吸収剤もしくは任意のマイクロ波吸収組成物が、植物材料の量に対して食品のマイクロ波調製で使用される量より少なくとも１０倍多い量で使用される、例えば、固化防止剤としてシリカが食品に加えられてよいが、例えば、１００グラムの植物材料へのマイクロ波吸収剤として１００グラムのシリカの添加は、任意の食品のマイクロ波調製で使用されるシリカの量より実質的に多いシリカの量を示す）、ならびに（３）マイクロ波吸収剤が植物材料を水の相対沸点超に加熱させる（すなわち、水の相対沸点は、例えば、任意の沸点上昇を考慮して、それぞれ、抽出チャンバもしくは取り外し可能カートリッジ内の圧力に対する、および抽出チャンバもしくは取り外し可能カートリッジ内の揮発性種の合計蒸気圧に対する、水の沸点である）ならば、マイクロ波もしくは電磁放射線によって励起される任意の他の物質もしくは基材からなってよい。
【０００７】
植物材料をマイクロ波吸収剤と組み合わせることは、植物材料を、マイクロ波吸収剤を含むマイクロ波吸収組成物と組み合わせることを含んでよい。マイクロ波吸収組成物は、例えば、本明細書に記載されるような固体の混合物を含んでよく、例えば、固体の混合物の少なくとも一部の固体はマイクロ波吸収剤を含んでよい。固体の混合物の固体は、例えば、約０．１μｍ〜約１００μｍ、約１μｍ〜約１ｍｍ、約１０μｍ〜約１０ｍｍ、約１００μｍ〜約５０ｍｍ、約０．１μｍ〜約１０μｍ、約１μｍ〜約１００μｍ、約１０μｍ〜約１ｍｍ、約１００μｍ〜約１０ｍｍ、約１ｍｍ〜約５０ｍｍ、約０．１μｍ〜約１μｍ、約０．５μｍ〜約５μｍ、約１μｍ〜約１０μｍ、約５μｍ〜約５０μｍ、約１０μｍ〜約１００μｍ、約５０μｍ〜約５００μｍ、約１００μｍ〜約１ｍｍ、約５００μｍ〜約５ｍｍ、約１ｍｍ〜約１ｃｍ、または約５ｍｍ〜約５ｃｍのような、約０．１μｍ〜約５ｃｍの大きさであってよい。固体の混合物は粉末もしくはグリットであってよく、またはビーズもしくはラシヒリング、繊維、ロッドもしくはシートもしくは規則充填物の形態を含んでよい。固体の混合物は金属、ガラス、セラミック、および／または粘土を含んでよい。いくつかの実施形態では、ガラス、セラミック、または粘土に、マイクロ波を吸収する極性分子からなる物質を含浸させてもよい。
【０００８】
いくつかの実施形態では、植物材料をマイクロ波吸収剤と組み合わせることは、植物材料を、マイクロ波吸収剤を含むマイクロ波吸収組成物と組み合わせることを含み、ここで、マイクロ波吸収組成物は、例えば、本明細書に記載されるような少なくとも１つのロッド、チューブ、またはシートを含み、少なくとも１つのロッド、チューブ、またはシートはマイクロ波吸収剤を含む。少なくとも１つのロッド、チューブ、またはシートは、約１ｃｍ〜約１０ｃｍ、約５ｃｍ〜約５０ｃｍ、または約１０ｃｍ〜約１００ｃｍのような、約１ｃｍ〜約１００ｃｍの少なくとも１つの寸法を有してよい。例えば、マイクロ波吸収組成物は少なくとも１つのシートを含んでよく、植物材料をマイクロ波吸収剤と組み合わせることは、植物材料をシート上に広げ、シートを巻いてコイル状シートにすることを含んでよい。
【０００９】
いくつかの実施形態では、マイクロ波吸収組成物は液体ではなく、マイクロ波吸収組成物は液体を含有しない。いくつかの実施形態では、マイクロ波吸収組成物は固体構成要素および液体構成要素を含む。いくつかの実施形態では、マイクロ波吸収剤は液体またはゲルである。いくつかの実施形態では、マイクロ波吸収剤は、抽出対象の植物油の沸点より高い沸点を有する。一例として、マイクロ波吸収剤の沸点は、大気圧で３００°Ｆ超、大気圧で３８０°Ｆ超、または大気圧で４５０°Ｆ超であってよい。
【００１０】
マイクロ波吸収剤は、典型的には水以外の化合物である。マイクロ波吸収剤は、例えば、食品中に存在せず、典型的なヒトの食事中にも見られない化合物であってよい。
【００１１】
いくつかの実施形態では、植物材料は、１０重量％未満の水のような、２０重量％未満の水からなる。方法は、マイクロ波吸収剤に照射する前に植物材料を乾燥させることをさらに含んでよい。
【００１２】
いくつかの実施形態では、方法は、植物材料を均等に加熱するように、マイクロ波吸収剤に関してマイクロ波放射線の伝搬方向を変更することをさらに含む。マイクロ波放射線の伝搬方向は、例えば、マイクロ波吸収剤に照射しながら、植物材料およびマイクロ波吸収剤を撹拌、振盪、または回転することによって変更されてよい。
【００１３】
好ましい実施形態では、方法は、植物油、揮発油、凝縮油、または回収油の熱分解を引き起こさない。好ましい実施形態では、方法は、植物材料の熱分解を引き起こさない。
【００１４】
方法は、抽出チャンバの内部の少なくとも１つの温度を監視することをさらに含んでよく、例えば、抽出チャンバの内部の少なくとも１つの温度は、植物材料の温度、マイクロ波吸収剤の温度、任意のマイクロ波吸収組成物の温度、および／または準備された植物材料の温度を含む。方法は、抽出チャンバの内部の温度を、約５０°Ｆ〜約１００°Ｆ、約５０°Ｆ〜約１５０°Ｆ、約３００°Ｆ〜約４５０°Ｆ、約３１４°Ｆ〜約４５０°Ｆ、約３１４°Ｆ〜約４２７°Ｆ、約３１４°Ｆ〜約４００°Ｆ、約３６５°Ｆ〜約４５０°Ｆ、約３６５°Ｆ〜約４２７°Ｆ、または約３６５°Ｆ〜約４００°Ｆのような、約５０°Ｆ〜約４５０°Ｆで維持することをさらに含んでよい。抽出チャンバの内部の温度を維持することは、マイクロ波放射線の出力を調整することを含んでよく、例えば、マイクロ波放射線の出力を調整することは、マイクロ波吸収剤に照射するマイクロ波放射線の強度を調整すること、および／またはマイクロ波吸収剤に照射するマイクロ波放射線のオンオフを繰り返すことのいずれかを含む。
【００１５】
いくつかの実施形態では、方法は、冷却チャンバの少なくとも１つの表面を、約８０°Ｆ〜約３１４°Ｆ、約１００°Ｆ〜約３１４°Ｆ、約１５０°Ｆ〜約３１４°Ｆ、約２００°Ｆ〜約３１４°Ｆ、約２１２°Ｆ〜約３１４°Ｆ、約２５０°Ｆ〜約３１４°Ｆ、約３００°Ｆ〜約３１４°Ｆ、約８０°Ｆ〜約３００°Ｆ、約１００°Ｆ〜約３００°Ｆ、約１５０°Ｆ〜約３００°Ｆ、約２００°Ｆ〜約３００°Ｆ、約２１２°Ｆ〜約３００°Ｆ、約２５０°Ｆ〜約３００°Ｆ、約８０°Ｆ〜約２５０°Ｆ、約１００°Ｆ〜約２５０°Ｆ、約１５０°Ｆ〜約２５０°Ｆ、約２００°Ｆ〜約２５０°Ｆ、約２１２°Ｆ〜約２５０°Ｆ、約８０°Ｆ〜約２００°Ｆ、約１００°Ｆ〜約２００°Ｆ、約１５０°Ｆ〜約２００°Ｆ、約８０°Ｆ〜約１５０°Ｆ、約１００°Ｆ〜約１５０°Ｆ、または約８０°Ｆ〜約１００°Ｆのような、約７０°Ｆ〜約３１４°Ｆの温度で維持することをさらに含む。いくつかの実施形態では、方法は、冷却チャンバの少なくとも１つの表面を（例えば、テルペン回収では）、約４０°Ｆ〜約２１２°Ｆ、約５０°Ｆ〜約２１２°Ｆ、約６０°Ｆ〜約２１２°Ｆ、約７０°Ｆ〜約２１２°Ｆ、約３５°Ｆ〜約１５０°Ｆ、約４０°Ｆ〜約１５０°Ｆ、約５０°Ｆ〜約１５０°Ｆ、約６０°Ｆ〜約１５０°Ｆ、約７０°Ｆ〜約１５０°Ｆ、約３５°Ｆ〜約１００°Ｆ、約４０°Ｆ〜約１００°Ｆ、約５０°Ｆ〜約１００°Ｆ、約６０°Ｆ〜約１００°Ｆ、約７０°Ｆ〜約１００°Ｆ、約３５°Ｆ〜約９０°Ｆ、約４０°Ｆ〜約９０°Ｆ、約５０°Ｆ〜約９０°Ｆ、約６０°Ｆ〜約９０°Ｆ、約７０°Ｆ〜約９０°Ｆ、約３５°Ｆ〜約８０°Ｆ、約４０°Ｆ〜約８０°Ｆ、約５０°Ｆ〜約８０°Ｆ、約６０°Ｆ〜約８０°Ｆ、約７０°Ｆ〜約８０°Ｆ、約３５°Ｆ〜約７０°Ｆ、約４０°Ｆ〜約７０°Ｆ、約５０°Ｆ〜約７０°Ｆ、または約６０°Ｆ〜約７０°Ｆのような、約３５°Ｆ〜約２１２°Ｆの温度で維持することをさらに含む。
【００１６】
方法は、回収油から水を除去することを含んでよい。水の除去は、例えば、回収油を約２１２°Ｆ〜約３１４°Ｆの温度で維持し、それにより水を回収油から蒸発させることによって、または回収油から水相を分離することによって達成され得る。
【００１７】
好ましい実施形態では、揮発油、凝縮油、および回収油には有機溶媒、特にブタンおよびイソブタンが存在しない。いくつかの実施形態では、揮発油、凝縮油、および回収油にはクロロホルムが存在しない。いくつかの実施形態では、揮発油、凝縮油、および回収油にはエタノールが存在しない。
【００１８】
いくつかの実施形態では、植物材料およびマイクロ波吸収剤を抽出チャンバ中へ挿入することは、植物材料およびマイクロ波吸収剤を含むカートリッジ（例えば、取り外し可能カートリッジ）を抽出チャンバ中へ挿入することを含む。
【００１９】
抽出チャンバは、第１の開口および第２の開口を含んでよく、植物材料およびマイクロ波吸収剤は第１の開口を通して抽出チャンバ中へ挿入され、抽出チャンバ中の揮発油は第２の開口を通して冷却チャンバ中へ向けられる。
【００２０】
いくつかの実施形態では、方法は、揮発油が第１の開口を通って抽出チャンバから出られないように、マイクロ波吸収剤に照射する前に抽出チャンバの第１の開口を密封することをさらに含む。
【００２１】
いくつかの実施形態では、植物材料は、アサまたはカンナビスを含む。例えば、植物材料は、ｃａｎｎａｂｉｓ  ｓａｔｉｖａ、ｃａｎｎａｂｉｓ  ｉｎｄｉｃａ、ｃａｎｎａｂｉｓ  ｒｕｄｅｒａｌｉｓ、カンナビス種もしくは科の交雑種、または前述の２つ以上の組み合わせを含んでよい。
【００２２】
いくつかの実施形態では、揮発油、凝縮油、および回収油はカンナビジオール（ＣＢＤ）、カンナビジバリン（ＣＢＤＶ）、テトラヒドロカンナビノール（ＴＨＣ）、デルタ−９−テトラヒドロカンナビノール、デルタ−８−テトラヒドロカンナビノール、テトラヒドロカンナビバリン（ＴＨＣＶ）、カンナビノール（ＣＢＮ）、カンナビゲロール、カンナビクロメン、化学変換カンナビノイド、任意の他のカンナビノイド、リナロール、カリオフィレン、ミルセン、リモネン、フムレン、ピネン、または前述の２つ以上の組み合わせを含む。例えば、揮発油、凝縮油、および回収油はデルタ−９−テトラヒドロカンナビノールを含んでよい。いくつかの実施形態では、揮発油、凝縮油、および回収油はカンナビジオール（ＣＢＤ）を含む。いくつかの実施形態では、回収油は医薬製剤での使用に適している。いくつかの実施形態では、回収油は向精神物質としての使用に適している。
【００２３】
好ましい実施形態では、方法は水蒸気蒸留を含まない。例えば、いくつかの実施形態では、植物材料から揮発する植物油の質量は、植物材料から揮発する水の質量より大きい。いくつかの実施形態では、植物材料から揮発する植物油の質量の、植物材料から揮発する水の質量に対する比は、少なくとも約１：３、約１：２、約１：１、約２：１、または約３：１である。
【００２４】
いくつかの実施形態では、植物油の沸点は２１２°Ｆ超であり、すなわち、植物油は、本明細書に記載されるようなシステムの抽出チャンバ中の植物材料とマイクロ波吸収剤／組成物との混合物中に存在する場合、２１２°Ｆ超の温度で沸騰する。
【００２５】
いくつかの実施形態では、本発明は、アサおよび／またはカンナビスからテトラヒドロカンナビノール（ＴＨＣ）および／またはカンナビジオール（ＣＢＤ）を抽出する方法に関し、（１）植物材料から油を抽出するためのシステムを提供することであって、（ａ）マイクロ波エミッタ、（ｂ）マイクロ波エミッタによって放射されたマイクロ波放射線が抽出チャンバ中へ向けられるようにマイクロ波エミッタと連通する抽出チャンバ、および（ｃ）抽出チャンバ中の揮発油が冷却チャンバ中へ向けられるように抽出チャンバと連通する冷却チャンバを含むシステムを提供することと、（２）植物材料とマイクロ波吸収剤とを組み合わせることと、（３）植物材料およびマイクロ波吸収剤を抽出チャンバ中へ挿入することと、（４）マイクロ波吸収剤にマイクロ波エミッタから放射されたマイクロ波放射線を照射し、それによりマイクロ波吸収剤を誘電加熱し、植物材料を約３１４°Ｆ〜約４５０°Ｆの温度に加熱し、植物材料からＴＨＣおよび／またはＣＢＤを揮発させてＴＨＣおよび／またはＣＢＤを含む揮発油を生成することと、（５）冷却チャンバ中で揮発油を約７０°Ｆ〜約３６５°の温度に凝縮させ、それによりＴＨＣおよび／またはＣＢＤを含む凝縮油を生成することと、（６）凝縮油の一部を回収し、それにより食用に適したＴＨＣおよび／またはＣＢＤを含む回収油を生成することとを含み、植物材料はアサまたはカンナビスであり、方法はＴＨＣまたはＣＢＤの熱分解を引き起こさない。
【００２６】
本発明の様々な態様は、植物材料から油を抽出するためのシステムに関する。システムは、マイクロ波エミッタ；マイクロ波エミッタによって放射されたマイクロ波放射線が抽出チャンバ中へ向けられるようにマイクロ波エミッタと連通する抽出チャンバ；抽出チャンバ中に配置されたマイクロ波吸収組成物であって、マイクロ波吸収組成物はマイクロ波吸収剤を含み、マイクロ波吸収組成物は食品ではない、マイクロ波吸収組成物；抽出チャンバ中に配置された植物材料；および抽出チャンバ中の揮発油が冷却チャンバ中へ向けられるように抽出チャンバと連通する冷却チャンバを含んでよい。システムは、マイクロ波エミッタから放射されたマイクロ波放射線によってマイクロ波吸収剤を誘電加熱し、マイクロ波吸収組成物から放射された熱放射によって植物材料を加熱するように構成され、それにより植物材料の油を揮発させて揮発油を生成してよい。冷却チャンバは揮発油の少なくとも一部を凝縮させるように動作可能であってよい。
【００２７】
マイクロ波吸収組成物は、例えば、本明細書に記載されるような固体の混合物を含んでよく、例えば、固体の混合物の少なくとも一部の固体はマイクロ波吸収剤を含んでよい。固体の混合物の固体は、例えば、約５０μｍ〜約５００μｍ、約１００μｍ〜約１ｍｍ、約５００μｍ〜約５ｍｍ、約１ｍｍ〜約１ｃｍ、または約５ｍｍ〜約５ｃｍのような、約５０μｍ〜約５ｃｍの大きさであってよい。固体の混合物は粉末であってよく、またはビーズを含んでよい。固体の混合物は金属、ガラス、セラミック、砂、および／または粘土を含んでよい。
【００２８】
マイクロ波吸収組成物は、例えば、本明細書に記載されるような少なくとも１つのロッド、チューブ、またはシートを含んでよく、例えば、少なくとも１つのロッド、チューブ、またはシートはマイクロ波吸収剤を含む。少なくとも１つのロッド、チューブ、またはシートは、約１ｃｍ〜約１０ｃｍ、約５ｃｍ〜約５０ｃｍ、または約１０ｃｍ〜約１００ｃｍのような、約１ｃｍ〜約１００ｃｍの少なくとも１つの寸法を有してよい。例えば、マイクロ波吸収組成物は少なくとも１つのシートを含んでよく、少なくとも１つのシートのシート（複数可）はコイル状シート（複数可）として存在する。
【００２９】
いくつかの実施形態では、マイクロ波吸収組成物は液体ではなく、マイクロ波吸収組成物は液体を含有しない。いくつかの実施形態では、マイクロ波吸収組成物は固体構成要素および液体構成要素を含む。いくつかの実施形態では、マイクロ波吸収剤は液体またはゲルである。いくつかの実施形態では、マイクロ波吸収剤は、大気圧で４５０°Ｆ超のような、大気圧で３６０°Ｆ超の沸点を有する。
【００３０】
マイクロ波吸収剤は、典型的には水以外の化合物である。マイクロ波吸収剤は、例えば、食品中に存在せず、典型的なヒトの食事中にも見られない化合物であってよい。
【００３１】
いくつかの実施形態では、抽出チャンバは、植物材料およびマイクロ波吸収組成物が抽出チャンバに出入りできるような形状および大きさの第１の開口を含む。
【００３２】
システムは取り外し可能カートリッジをさらに含んでよく、取り外し可能カートリッジは植物材料およびマイクロ波吸収組成物を含み、抽出チャンバの第１の開口は取り外し可能カートリッジが抽出チャンバに出入りできるような形状および大きさである。例えば、取り外し可能カートリッジの外壁は抽出チャンバの内壁と摺動自在に係合してよい。
【００３３】
システムは、密封パックをさらに含んでよく、密封パックは第１の開口を密封し、それにより揮発油が第１の開口を通って抽出チャンバを出ることを阻止する。
【００３４】
いくつかの実施形態では、抽出チャンバは、揮発油が抽出チャンバを出て冷却チャンバに入れるように構成された第２の開口を含む。いくつかの実施形態では、第２の開口の大きさは、どの寸法においても５ｃｍを超えない。例えば、第２の開口の大きさは、４ｃｍ、３ｃｍ、２ｃｍ、１ｃｍ、または５ｍｍ以下であってよい。
【００３５】
いくつかの実施形態では、システムはフィルタをさらに含み、例えば、フィルタは植物材料と第２の開口との間に位置する。フィルタは、第２の開口を通って抽出チャンバを出ることによる固体微粒子の通過も阻止し、かつ第２の開口を通した揮発油の通過も可能にするように構成されてよい。
【００３６】
いくつかの実施形態では、抽出チャンバは第１の開口および第２の開口を含み、第１の開口は植物材料およびマイクロ波吸収組成物が抽出チャンバに出入りできるような形状および大きさであり、第１の開口は可逆的に密封され、それにより揮発油が第１の開口を通って抽出チャンバを出ることを阻止し、第２の開口は揮発油が抽出チャンバを出て冷却チャンバに入れるように構成される。
【００３７】
いくつかの実施形態では、植物材料は、１０重量％未満の水のような、２０重量％未満の水からなる。システムは、約１００ｇ〜約１ｋｇ、約２００ｇ〜約２ｋｇ、約３００ｇ〜約３ｋｇ、約４００ｇ〜約４ｋｇ、または約５００ｇ〜約５ｋｇの植物材料のような、約１００ｇ〜約１０ｋｇの植物材料を含んでよい。
【００３８】
いくつかの実施形態では、植物材料は、アサまたはカンナビスを含む。例えば、植物材料は、ｃａｎｎａｂｉｓ  ｓａｔｉｖａ、ｃａｎｎａｂｉｓ  ｉｎｄｉｃａ、ｃａｎｎａｂｉｓ  ｒｕｄｅｒａｌｉｓ、カンナビス種もしくは科の交雑種、または前述の２つ以上の組み合わせを含んでよい。
【００３９】
いくつかの実施形態では、植物材料はカンナビジオール（ＣＢＤ）、カンナビジバリン（ＣＢＤＶ）、テトラヒドロカンナビノール（ＴＨＣ）、デルタ−９−テトラヒドロカンナビノール、デルタ−８−テトラヒドロカンナビノール、テトラヒドロカンナビバリン（ＴＨＣＶ）、カンナビノール（ＣＢＮ）、カンナビゲロール、カンナビクロメン、化学変換カンナビノイド、任意の他のカンナビノイド、リナロール、カリオフィレン、ミルセン、リモネン、フムレン、ピネン、または前述の２つ以上の組み合わせを含む。例えば、植物材料はテトラヒドロカンナビノール（ＴＨＣ）を含んでよい。いくつかの実施形態では、植物材料はカンナビジオール（ＣＢＤ）を含む。
【００４０】
本発明の様々な態様は、アサまたはカンナビスからテトラヒドロカンナビノール（ＴＨＣ）またはカンナビジオール（ＣＢＤ）を抽出するためのシステムに関し、（１）マイクロ波エミッタ；（２）マイクロ波エミッタによって放射されたマイクロ波放射線が抽出チャンバ中へ向けられるようにマイクロ波エミッタと連通する抽出チャンバ；（３）抽出チャンバ中に配置されたマイクロ波吸収組成物であって、マイクロ波吸収組成物は食品ではなく、マイクロ波吸収組成物はマイクロ波吸収剤を含み、マイクロ波吸収剤は大気圧で３６０°Ｆ超の沸点を有する、マイクロ波吸収組成物；（４）抽出チャンバ中に配置された約１００ｇ〜約１０ｋｇの植物材料であって、植物材料はアサまたはカンナビスであり、植物材料はＴＨＣおよび／またはＣＢＤを含む、植物材料；ならびに（５）抽出チャンバ中の揮発したＴＨＣおよび／またはＣＢＤが冷却チャンバ中へ向けられるように抽出チャンバと連通する冷却チャンバを含み、（６）抽出チャンバは第１の開口および第２の開口を含み；（７）第１の開口は植物材料およびマイクロ波吸収組成物が抽出チャンバに出入りできるような形状および大きさであり；（８）第１の開口は可逆的に密封され、それにより揮発したＴＨＣおよび／またはＣＢＤが第１の開口を通って抽出チャンバを出ることを阻止し；（９）第２の開口は揮発したＴＨＣおよび／またはＣＢＤが抽出チャンバを出て冷却チャンバに入れるように構成され；（１０）システムはマイクロ波エミッタから放射されたマイクロ波放射線によってマイクロ波吸収剤を誘電加熱するように構成され、；（１１）システムはマイクロ波吸収組成物から放射された熱放射によって植物材料を加熱するように構成され；（１２）冷却チャンバは揮発したＴＨＣおよび／またはＣＢＤを凝縮させるように動作可能である。
【図面の簡単な説明】
【００４１】
【図１】本発明の実施形態の線図である。
【発明を実施するための形態】
【００４２】
本発明の様々な実施形態は、カンナビスとマイクロ波吸収剤との混合物のマイクロ波処理はカンナビスからのカンナビノイドの効率的な抽出を可能にするという発見に基づく。そのような方法は、ブタンのような溶媒を必要としないため、カンナビスからカンナビノイドを抽出する歴史的方法よりも優れていてよい。本明細書に開示されたシステムおよび方法は抽出されたカンナビノイドとシステムの可動部分との間の接触の量を最小化してもよく、頑丈なシステムおよび最小限のメンテナンスを可能にする。
【００４３】
本発明のシステムおよび方法は水蒸気蒸留のシステムおよび方法ではないため、本発明の実施形態は、植物材料から精油を抽出する従来技術のマイクロ波ベースの方法と区別されてよい。カンナビノイドおよび重質オレオレジンの蒸気圧は極端に低く、したがって、カンナビノイドおよび重質オレオレジンはマイクロ波支援による水蒸気蒸留の従来技術の方法を受け入れられないため、マイクロ波支援による水蒸気蒸留および一般の水蒸気蒸留は、カンナビノイドまたは重質オレオレジンの蒸留において有効であると証明されていない。植物材料から精油を抽出する従来技術のマイクロ波ベースの方法は、精油を加熱するために水の誘電加熱を頼りにする。本明細書に開示されたシステムおよび方法は、マイクロ波吸収剤の誘電加熱を頼りにし、マイクロ波吸収剤は典型的には水ではない。
【００４４】
Ａ．植物材料
本発明の様々な態様は、植物材料から油を抽出するためのシステムおよび方法に関する。
【００４５】
植物材料は典型的には食品ではない。それにもかかわらず、植物材料は食用に適した植物油を含んでよい。「食用に適した」なる語句は、例えば医薬品（向精神薬もしくは抗痙攣薬）または栄養補助食品のような、治療、医薬、栄養、および／または化粧品用途を指す。食用としては、経腸摂取（例えば、丸剤、カプセル、食品もしくは飲料などで）、局所投与、および吸入（例えば、気化油の）が挙げられる。食用は、植物油と人体との（例えば、固体、液体、または気体の形態での）接触を必要とする。「食用に適し」ていない油としては、著しい熱分解を経た油（例えば、油の１０重量％超が熱化学分解を経て、その結果テルペンでもカンナビノイドでもない１０重量％超の熱化学分解生成物を生じる）、ならびに粗製油、燃料油、石油化学製品、または非ＧＲＡＳ溶媒を含有する油（例えば、油の０．２重量％超が粗製油、燃料油、石油化学製品、および／もしくは非ＧＲＡＳ溶媒である）が挙げられる。
【００４６】
植物材料は、例えば、アサまたはカンナビスであってよい。植物材料は、様々な形態のテトラヒドロカンナビノール（ＴＨＣ）および／または様々な形態のカンナビジオール（ＣＢＤ）を含んでよい。いくつかの実施形態では、植物材料はＴＨＣを本質的に含まない。植物材料はカンナビジオール（ＣＢＤ）を含んでよい。植物材料は、ｃａｎｎａｂｉｓ  ｓａｔｉｖａ、ｃａｎｎａｂｉｓ  ｉｎｄｉｃａ、ｃａｎｎａｂｉｓ  ｒｕｄｅｒａｌｉｓ、カンナビス種もしくは科の交雑種、または前述の２つ以上の組み合わせのようなカンナビスを含んでよい。他の形態の植物材料、例えばホップも使用されてよい。
【００４７】
いくつかの実施形態では、植物材料は花、葉、および／または茎を含み、例えば、植物材料は花（複数）、葉（複数）、および／または茎（複数）を含む。植物材料は、乾燥または硬化された花などの、１０％、２０％、２５％、５０％、７０％、７５％、８０％、または９０％超の花からなってよい。植物材料は、乾燥または硬化された雌花などの、１０％、２０％、２５％、５０％、７０％、７５％、８０％、または９０％超の雌花からなってよい。
【００４８】
いくつかの実施形態では、植物材料は乾燥および／または硬化される。例えば、植物材料は、２０重量％、１５重量％、１０重量％、９重量％、８重量％、７重量％、６重量％、または５重量％未満の水を含有してよい。方法は、例えば植物材料を抽出チャンバ中へ挿入する前に、植物材料を乾燥させることを含んでよい。
【００４９】
植物材料は、例えば０．１μｍ〜５ｍｍ、２０μｍ〜５ｍｍの大きさの粒子に、または他の粉砕サイズに、必要に応じて粉砕されてよい。いくつかの実施形態では、植物材料は粉砕されず、大部分はそのままである。
【００５０】
いくつかの実施形態では、植物材料は液果を含まない。例えば、いくつかの実施形態では、植物材料は柑橘類またはメロンを含まない。いくつかの実施形態では、植物材料は樹木から得られない。いくつかの実施形態では、植物材料は液果、柑橘類、シトロン、ザボン、トサブンタン、スダチ、マンダリンオレンジ（Ｃｉｔｒｕｓ  ｕｎｓｈｉｕ）、オレンジ（Ｃｉｔｒｕｓ  ｓｉｎｅｎｓｉｓ）、ポンカン、スイカ、メロン、樹木、樹皮、針葉樹、スギ（Ｃｒｙｐｔｏｍｅｒｉａ  ｊａｐｏｎｉｃａ）、ヒノキ（Ｃｈａｍａｅｃｙｐａｒｉｓ  ｏｂｔｕｓａ）、草、ショウガの根茎、ショウガ、トウモロコシ、もみ殻、米、稲わら、バガス、ココナツ、ヤシ殻、または家畜排泄物を含まない。
【００５１】
本明細書に記載されるようなシステムは、少なくとも約７５ｇ、約１００ｇ、約１５０ｇ、約２００ｇ、約２５０ｇ、約３００ｇ、約４００ｇ、または約５００ｇのような、少なくとも約５０グラムの植物材料を（例えば、本明細書に記載されるような抽出チャンバおよび／または取り外し可能カートリッジ内に）含んでよい。本明細書に記載されるようなシステムは、約７５ｇ〜約１０ｋｇ、約１００ｇ〜約１０ｋｇ、約１５０ｇ〜約１０ｋｇ、約２００ｇ〜約１０ｋｇ、約２５０ｇ〜約１０ｋｇ、約３００ｇ〜約１０ｋｇ、約４００ｇ〜約１０ｋｇ、約５００ｇ〜約１０ｋｇ、約５０ｇ〜約５ｋｇ、約７５ｇ〜約５ｋｇ、約１００ｇ〜約５ｋｇ、約１５０ｇ〜約５ｋｇ、約２００ｇ〜約５ｋｇ、約２５０ｇ〜約５ｋｇ、約３００ｇ〜約５ｋｇ、約４００ｇ〜約５ｋｇ、約５００ｇ〜約５ｋｇ、約１０ｇ〜約１ｋｇ、約５０ｇ〜約１ｋｇ、約７５ｇ〜約１ｋｇ、約１００ｇ〜約１ｋｇ、約１５０ｇ〜約１ｋｇ、約２００ｇ〜約１ｋｇ、約２５０ｇ〜約１ｋｇ、約３００ｇ〜約１ｋｇ、約４００ｇ〜約１ｋｇ、または約５００ｇ〜約１ｋｇのような、約５０グラム〜１０ｋｇの植物材料を（例えば、本明細書に記載されるような抽出チャンバおよび／または取り外し可能カートリッジ内に）含んでよい。
【００５２】
本明細書に記載されるようなシステムは、少なくとも約２ｋｇ、約５ｋｇ、約１０ｋｇ、約２５ｋｇ、約５０ｋｇ、約１００ｋｇ、約２５０ｋｇ、または約５００ｋｇのような、少なくとも約１キログラムの植物材料を（例えば、本明細書に記載されるような抽出チャンバおよび／または取り外し可能カートリッジ内に）含んでよい。本明細書に記載されるようなシステムは、約５ｋｇ〜約５００ｋｇ、約１０ｋｇ〜約５００ｋｇ、約２５ｋｇ〜約５００ｋｇ、約５０ｋｇ〜約５００ｋｇ、約１００ｋｇ〜約５００ｋｇ、約２５０ｋｇ〜約５００ｋｇ、約２ｋｇ〜約２５０ｋｇ、約５ｋｇ〜約２５０ｋｇ、約１０ｋｇ〜約２５０ｋｇ、約２５ｋｇ〜約２５０ｋｇ、約５０ｋｇ〜約２５０ｋｇ、約１００ｋｇ〜約２５０ｋｇ、約２ｋｇ〜約１００ｋｇ、約５ｋｇ〜約１００ｋｇ、約１０ｋｇ〜約１００ｋｇ、約２５ｋｇ〜約１００ｋｇ、約５０ｋｇ〜約１００ｋｇ、約２ｋｇ〜約５０ｋｇ、約５ｋｇ〜約５０ｋｇ、約１０ｋｇ〜約５０ｋｇ、約２５ｋｇ〜約５０ｋｇ、約２ｋｇ〜約２５ｋｇ、約５ｋｇ〜約２５ｋｇ、約１０ｋｇ〜約２５ｋｇ、約２ｋｇ〜約１０ｋｇ、約５ｋｇ〜約１０ｋｇ、または約２ｋｇ〜約５ｋｇのような、約２ｋｇ〜約５００ｋｇの植物材料を（例えば、本明細書に記載されるような抽出チャンバおよび／または取り外し可能カートリッジ内に）含んでよい。
【００５３】
Ｂ．植物油
植物油は様々な形態のカンナビノイドおよびカンナビノイド酸、様々な形態のカンナビジオール（ＣＢＤ）もしくはカンナビジオール酸（ＣＢＤＡ）、カンナビジバリン（ＣＢＤＶ）、様々な形態のテトラヒドロカンナビノール（ＴＨＣ）、デルタ−９−テトラヒドロカンナビノール、テトラヒドロカンナビノール酸、デルタ−８−テトラヒドロカンナビノール、テトラヒドロカンナビバリン（ＴＨＣＶ）、カンナビノール（ＣＢＮ）、カンナビゲロール、カンナビクロメン、化学変換カンナビノイド、任意の他のカンナビノイド、リナロール、様々な形態のカリオフィレン、ミルセン、リモネン、フムレン、ピネン、または前述の２つ以上の組み合わせを含んでよい。例えば、揮発油、凝縮油、および／または回収油はＣＢＤを、例えば少なくとも約１重量％、５重量％、１０重量％、２０重量％、２５重量％、５０重量％、７５重量％、８０重量％、または９０重量％以上の濃度で含んでよい。同様に、揮発油、凝縮油、および／または回収油はＴＨＣを、例えば少なくとも約１重量％、５重量％、１０重量％、２０重量％、２５重量％、５０重量％、７５重量％、８０重量％、または９０重量％以上の濃度で含んでよい。
【００５４】
「テトラヒドロカンナビノール」および「ＴＨＣ」なる用語は、（−）−トランス−Δ９−テトラヒドロカンナビノールおよびその異性体を指す。
【００５５】
揮発油、凝縮油、および／または回収油は典型的には食用に適しており、これは油が著しい熱分解を経ていないこと（例えば、油の１０重量％未満が熱化学分解を経ており、熱化学分解の結果テルペンでもカンナビノイドでもない熱化学分解生成物が生じる）、ならびに油が粗製油、燃料油、石油化学製品、および非ＧＲＡＳ溶媒を本質的に含まないこと（例えば、油の０．２重量％未満が粗製油、燃料油、石油化学製品、および／もしくは非ＧＲＡＳ溶媒である）を意味する。揮発油、凝縮油、および／または回収油は、１０重量％、５重量％、２重量％、１重量％、０．５重量％、０．２重量％、０．１重量％、０．０５重量％、０．０２重量％、または０．０１重量％未満の、熱化学分解を経た油を含んでよい。揮発油、凝縮油、および／または回収油は、０．２重量％、０．１重量％、０．０５重量％、０．０２重量％、０．０１重量％、０．００５重量％、０．００２重量％、または０．００１重量％未満の粗製油、燃料油、石油化学製品、および非ＧＲＡＳ溶媒を含んでよい。
【００５６】
いくつかの実施形態では、植物油の沸点は２１２°Ｆ超であり、例えば約２５０°Ｆ、約２７５°Ｆ、または約３００°Ｆ超などである。いくつかの実施形態では、植物油の沸点は約２１２°Ｆ〜約４５０°Ｆ、約２５０°Ｆ〜約４５０°Ｆ、約２７５°Ｆ〜約４５０°Ｆ、約３００°Ｆ〜約４５０°Ｆ、約２１２°Ｆ〜約４００°Ｆ、約２５０°Ｆ〜約４００°Ｆ、約２７５°Ｆ〜約４００°Ｆ、または約３００°Ｆ〜約４００°Ｆである。いくつかの実施形態では、植物油は水と非混和性であり、植物油の沸点は約２１２°Ｆ〜約４５０°Ｆ、約２５０°Ｆ〜約４５０°Ｆ、約２７５°Ｆ〜約４５０°Ｆ、約３００°Ｆ〜約４５０°Ｆ、約２１２°Ｆ〜約４００°Ｆ、約２５０°Ｆ〜約４００°Ｆ、約２７５°Ｆ〜約４００°Ｆ、または約３００°Ｆ〜約４００°Ｆである。本明細書で使用される場合、沸点なる用語は、圧力が（例えば、圧力の範囲またはおおよその圧力または特定の圧力のいずれかのように）明確に指定されない限り、大気圧での沸点を指す。本明細書で使用される場合、沸点なる用語は、沸点なる用語の文脈が他を明示しない限り、種が他の分子と関連して抽出チャンバ中に存在する場合の、すなわち、任意の沸点上昇（例えば、溶質の存在下での）および任意の沸点降下（例えば、非混和性液相の存在下での）を考慮した、種の沸点を指す。
【００５７】
いくつかの実施形態では、揮発油、凝縮油、および／または回収油は、リモネン、β−フェランドレン、γ−テルピネン、β−エレメン、α−ピネン、β−ピネン、リナロール、およびβ−ミルセンを本質的に含まない。いくつかの実施形態では、揮発油、凝縮油、および／または回収油はＴＨＣを本質的に含まない。
【００５８】
Ｃ．システム
方法は、植物材料から油を抽出するためのシステムを提供することを含んでよい。システムは、典型的には、（ａ）マイクロ波エミッタ、（ｂ）マイクロ波エミッタによって放射されたマイクロ波放射線が抽出チャンバ中へ向けられるようにマイクロ波エミッタと連通する抽出チャンバ、および（ｃ）抽出チャンバ中の揮発油が冷却チャンバ中へ向けられるように抽出チャンバと連通する冷却チャンバを含む。
【００５９】
いくつかの実施形態では、本発明のシステムは、例えば、システムの構成要素が別々に供給される場合、マイクロ波エミッタ、抽出チャンバ、および冷却チャンバのすべてよりも少なく含む。本発明のシステムの動作バージョンは、典型的には本明細書に記載されるような植物材料およびマイクロ波吸収剤を含む。システムは、抽出チャンバ内に配置された植物材料、マイクロ波吸収剤、および／またはマイクロ波吸収組成物を含んでよい。
【００６０】
Ｄ．マイクロ波エミッタ
マイクロ波エミッタは既知であり、マイクロ波エミッタがマイクロ波吸収剤を誘電加熱できる、またはＭａｘｗｅｌｌ−Ｗａｇｎｅｒ−Ｓｉｌｌａｒｓ分極としても知られる界面分極によってマイクロ波吸収剤を加熱できる限り、マイクロ波エミッタの厳密な性質は特に限定されない。マイクロ波エミッタは、例えば、空洞マグネトロンを含んでよい。マイクロ波エミッタは、典型的には、マイクロ波吸収剤を誘電加熱できる周波数のマイクロ波放射線を放射する。
【００６１】
いくつかの実施形態では、マイクロ波エミッタは、水および／または多糖類（例えばセルロース）と比較してマイクロ波吸収剤による吸収に好適な周波数でマイクロ波放射線を放射するように構成される。いくつかの実施形態では、マイクロ波エミッタは、例えば、植物材料の熱分解または燃焼を避けるために、植物材料と比較してマイクロ波吸収剤による吸収に好適な周波数でマイクロ波放射線を放射するように構成される。マイクロ波エミッタは可変周波数マイクロ波エミッタであってよい。いくつかの実施形態では、システムは、マイクロ波吸収剤が吸収し得る周波数に対応したマイクロ波放射線の伝達に好適な、ならびに／または水、および／もしくは多糖類、および／もしくは炭素分子、および／もしくは植物材料が吸収し得る周波数に対応したマイクロ波放射線の伝達に不利なバンドパスフィルタを含む。
【００６２】
システムは、例えば、マイクロ波放射線をマイクロ波エミッタから抽出チャンバへ伝達するための、導波管を含んでよい。
【００６３】
システムは、典型的には、マイクロ波エミッタから放射されるマイクロ波放射線の出力を、例えば、温度センサから受信したフィードバックに応じて、動的に変更するように構成される。
【００６４】
Ｅ．抽出チャンバ
抽出チャンバは、植物材料とマイクロ波吸収剤またはマイクロ波吸収組成物の混合物を受け取るように構成される。抽出チャンバは、植物材料およびマイクロ波吸収剤またはマイクロ波吸収組成物を混合、振盪、および／または回転するように構成されてよく、例えば、それにより均質な加熱を可能にする。
【００６５】
抽出チャンバは、典型的には、第１の開口および第２の開口を含む。第１の開口は、典型的には、植物材料およびマイクロ波吸収組成物が抽出チャンバに出入りできるような形状および大きさである。第１の開口は、取り外し可能カートリッジが抽出チャンバに出入りできるような形状および大きさであってよく、例えば、取り外し可能カートリッジは植物材料およびマイクロ波吸収組成物を含む。
【００６６】
システムは密封パックを含んでよく、例えば、密封パックは第１の開口を密封し、それにより揮発油が第１の開口を通って抽出チャンバを出ることを阻止するように構成される。密封パックが少なくとも４００°Ｆまでの温度で安定であり、水中および植物油中の両方で安定であり、マイクロ波放射線への曝露時に安定である限り、密封パックの性質は特に限定されない。密封パックは、必要に応じてマイクロ波放射線に対して不透過であってよい。
【００６７】
第１の開口は、（例えば、密封パックで）可逆的に密封されてよく、それにより揮発油が第１の開口を通って抽出チャンバを出ることを阻止する。
【００６８】
第２の開口は、典型的には、揮発油が抽出チャンバを出て冷却チャンバに入れるように構成される。いくつかの実施形態では、第２の開口は、どの寸法においても５ｃｍを超えない。例えば、第２の開口は、どの寸法においても４ｃｍ、３ｃｍ、２ｃｍ、１ｃｍ、または５ｍｍのいずれかを超えてはならない。第２の開口の正確な幾何形状は特に限定されないが、第２の開口は円形または略円形であってよい。システムは、第２の開口内にまたは第２の開口に隣接して位置し、第２の開口を通した固体粒子の通過を阻止するように構成されたフィルタを含んでよい。フィルタは、典型的には、第２の開口を通って抽出チャンバを出ることによる固体微粒子の通過を阻止するように構成される。フィルタは、典型的には、第２の開口を通した揮発油の通過を可能にするように構成される。フィルタは、例えば約２００°Ｆ、３００°Ｆ、３２０°Ｆ、３５０°Ｆ、３６０°Ｆ、３７０°Ｆ、３８０°Ｆ、または４００°Ｆ超の温度に、必要に応じて加熱されてよい。いくつかの実施形態では、フィルタ上への揮発油の凝縮またはフィルタに隣接した揮発油の凝縮のいずれかを阻止するためのフィルタの十分な加熱を確実にするために、フィルタは、マイクロ波吸収繊維もしくは焼結材料を含んでよいか、またはマイクロ波吸収繊維もしくは焼結材料からなってよい。
【００６９】
システムは、必要に応じて、第２の開口内にまたは第２の開口に隣接して位置し、第２の開口を通した液体の通過を阻止するように構成された膜を含んでよい。膜は、典型的には、第２の開口を通って抽出チャンバを出る液体の通過を阻止するように構成される。膜は、典型的には、第２の開口を通した揮発油の通過を可能にするように構成される。
【００７０】
いくつかの実施形態では、例えば、取り外し可能カートリッジが第１の開口を通して抽出チャンバ中へ挿入されてよく、揮発油が第２の開口を通して抽出チャンバから冷却チャンバ中へ向けられてよいように、第１の開口は抽出チャンバの頂部に位置し、第２の開口は抽出チャンバの底部に位置する。そのような構成は、その１つが図１に示されており、例えば、植物材料およびマイクロ波吸収組成物／剤が充填および加熱中に実質的に固体である場合に適している。
【００７１】
植物材料および／またはマイクロ波吸収組成物／剤が液体を含む実施形態では、システムは、抽出チャンバの側面もしくは頂部のいずれかに位置する第２の開口、および／または第２の開口を通る液体の流れを阻止するために第２の開口を覆う膜を含んでよい。第１の開口および第２の開口の正確な場所は特に限定されないが、しかしながら、当業者は、第１の開口および第２の開口の位置ならびに使用およびメンテナンスのしやすいシステムの他の構成を容易に知っている。
【００７２】
抽出チャンバは、例えば、揮発油および他の気体が抽出チャンバから逃げて冷却チャンバへ入ってよいため、典型的には著しく加圧されない。方法は抽出チャンバの圧力を、約０．５ａｔｍ〜約２ａｔｍ、約０．６ａｔｍ〜約１．８ａｔｍ、または約０．８ａｔｍ〜約１．６ａｔｍなどの、約０．３気圧〜約５気圧で維持すること含んでよい。米国の都市化地域の周囲圧力は、例えば、約０．８ａｔｍ（例えば、コロラド州デンバーで）〜約１．０ａｔｍ（例えば、フロリダ州マイアミで）の範囲であり、植物油のマイクロ波支援による揮発は、システムの圧力を周囲圧力より著しく高く増大させる場合がある。それにもかかわらず、より高い圧力は植物油の沸点を上昇させるため、システムは抽出チャンバ内で周囲圧力に近い圧力を維持するように構成されてよい。
【００７３】
真空による支援は気化速度を増大させ、かつ／または植物材料から油を揮発させるのに必要な温度の低下を可能にすることを、当業者は直ちに理解するであろう。いくつかの実施形態では、方法は、抽出チャンバおよび／または任意の取り外し可能カートリッジに真空を適用することを含む。システムは真空ポンプを含んでよく、例えば、真空ポンプは、抽出チャンバおよび／または任意の取り外し可能カートリッジ内の圧力を低下させるように動作可能である。真空は、抽出チャンバおよび／または任意の取り外し可能カートリッジ内の圧力を、約０．１ａｔｍ〜約１ａｔｍ、約０．２ａｔｍ〜約１ａｔｍ、約０．５ａｔｍ〜約１ａｔｍ、約０．０５ａｔｍ〜約０．８ａｔｍ、約０．１ａｔｍ〜約０．８ａｔｍ、約０．２ａｔｍ〜約０．８ａｔｍ、約０．５ａｔｍ〜約０．８ａｔｍ、約０．０５ａｔｍ〜約０．６ａｔｍ、約０．１ａｔｍ〜約０．６ａｔｍ、約０．２ａｔｍ〜約０．６ａｔｍ、約０．５ａｔｍ〜約０．６ａｔｍ、約０．０５ａｔｍ〜約０．５ａｔｍ、約０．１ａｔｍ〜約０．５ａｔｍ、または約０．２ａｔｍ〜約０．５ａｔｍなどの、約０．０５ａｔｍ〜約１ａｔｍに低下させてよい。
【００７４】
Ｆ．冷却チャンバ
ある実施形態では、システムは、揮発油が冷却チャンバ中へ向けられるように抽出チャンバと連通する冷却チャンバを含む。冷却チャンバは、典型的には、揮発油の少なくとも一部が液化するように、揮発油を油の凝縮温度以下に冷却するように動作可能である。
【００７５】
冷却チャンバの性質は特に限定されない。冷却チャンバは、リービッヒ冷却器、ウエスト冷却器、アリーン冷却器、Ｄａｖｉｅｓ冷却器、グラハム冷却器、フリードリヒ冷却器、らせん状冷却器、コイル型冷却器、またはジムロート冷却器のような冷却器を含んでよい。冷却器は、例えば水で冷却されてよい。
【００７６】
いくつかの実施形態では、例えば、揮発油が室温より実質的に高い温度で凝縮する場合があるため、冷却チャンバには冷却器が存在しない。
【００７７】
冷却チャンバは１つまたは複数の加熱表面を含んでよく、例えば、「加熱」表面（複数可）は周囲温度（すなわち７０°Ｆ）に対して加熱される。
【００７８】
冷却チャンバの表面は、約７０°Ｆ〜約３１４°Ｆ、約７０°Ｆ〜約３００°Ｆ、約７０°Ｆ〜約２５０°Ｆ、約７０°Ｆ〜約２１２°Ｆ、約７０°Ｆ〜約２００°Ｆ、約７０°Ｆ〜約１５０°Ｆ、約７０°Ｆ〜約１００°Ｆ、約１００°Ｆ〜約３５０°Ｆ、約１００°Ｆ〜約３１４°Ｆ、約１００°Ｆ〜約３００°Ｆ、約１００°Ｆ〜約２５０°Ｆ、約１００°Ｆ〜約２１２°Ｆ、約１００°Ｆ〜約２００°Ｆ、約１００°Ｆ〜約１５０°Ｆ、約１５０°Ｆ〜約３５０°Ｆ、約１５０°Ｆ〜約３１４°Ｆ、約１５０°Ｆ〜約３００°Ｆ、約１５０°Ｆ〜約２５０°Ｆ、約１５０°Ｆ〜約２１２°Ｆ、約１５０°Ｆ〜約２００°Ｆ、約２００°Ｆ〜約３５０°Ｆ、約２００°Ｆ〜約３１４°Ｆ、約２００°Ｆ〜約３００°Ｆ、約２００°Ｆ〜約２５０°Ｆ、約２００°Ｆ〜約２１２°Ｆ、約２１２°Ｆ〜約３５０°Ｆ、約２１２°Ｆ〜約３１４°Ｆ、約２１２°Ｆ〜約３００°Ｆ、約２１２°Ｆ〜約２５０°Ｆ、約２５０°Ｆ〜約３５０°Ｆ、約２５０°Ｆ〜約３１４°Ｆ、または約２５０°Ｆ〜約３００°Ｆなどの、約７０°Ｆ〜約３５０°Ｆの温度で維持されてよい。いくつかの実施形態では、冷却チャンバの少なくとも１つの表面は、約−３２５°Ｆ〜約−２５０°Ｆ、約−３００°Ｆ〜約−２００°Ｆ、約−２５０°Ｆ〜約−１５０°Ｆ、約−２００°Ｆ〜約−１００°Ｆ、約−１５０°Ｆ〜約−５０°Ｆ、約−１００°Ｆ〜約０°Ｆ、約−５０°Ｆ〜約５０°Ｆ、約０°Ｆ〜約１００°Ｆ、または約５０°Ｆ〜約１５０°Ｆのような、約−３２５°Ｆ〜約３００°Ｆの温度で維持される。いくつかの実施形態では、例えば、冷却チャンバの表面は、約２１２°Ｆ〜約３１４°Ｆの温度で維持され、それによりカンナビノイドを凝縮させ、水の凝縮を阻止する。
【００７９】
いくつかの実施形態では、冷却チャンバの温度は揮発油を凝縮させるのに十分に低いが、凝縮油を液体状態に保つには十分に高い温度で維持され、凝縮油は冷却チャンバから容易に流れる。いくつかの実施形態では、冷却チャンバは、すべての形態の揮発油を捕捉するために極低温に保たれ、その後、回収油を排出するために周期的に加熱されてよい。
【００８０】
いくつかの実施形態では、冷却チャンバは、１００°Ｆ未満、９０°Ｆ未満、８０°Ｆ未満、７０°Ｆ未満、または５０°Ｆ未満、３０°Ｆ、２０°Ｆ、０°Ｆまたはそれ以下などの、より低い温度に冷却されてよい。冷却チャンバでのより低い温度の使用は、より低い沸点のテルペンまたは揮発性油の回収を促進してよい。冷却チャンバでのより低い温度の使用は、植物材料からの抽出油の蒸留の支援に真空が使用される実施形態でも必要とされてよい。他の実施形態では、冷却チャンバは、約５０°Ｆ〜約３０°Ｆ、約３０°Ｆ〜約１０°Ｆ、約１０°Ｆ〜約−１０°Ｆ、約−１０°Ｆ〜約−３０°Ｆ、約５０°Ｆ〜約０°Ｆ、約３０°Ｆ〜約−１００°Ｆ、約０°Ｆから約−２００°Ｆ、約−５０°Ｆから約−３２５°Ｆの範囲、または蒸留分野の当業者に一般に知られているであろう他のより低い温度に冷却されてよい。
【００８１】
冷却チャンバは、回収溶媒が揮発油を揮発油の凝縮温度以下に急速に冷却するように、揮発油中へ回収溶媒を噴霧するように動作可能な加圧噴霧器を有する噴霧冷却チャンバであってよい。噴霧冷却チャンバは、例えば、ＰＣＴ特許出願公開番号ＷＯ２０１５０４９５８５およびＷＯ２０１６１６１４２０に記載されており、その各々は参照により本明細書に組み込まれる。噴霧された回収溶媒は、回収溶媒が液体回収器からの凝縮油を含むように必要に応じて再循環されてよく、システムは、液体回収器からの回収溶媒および抽出油を高圧噴霧器にポンピングするように動作可能なポンプをさらに含んでよい。あるいは、噴霧された回収溶媒は、実質的に精製された回収溶媒である。回収溶媒クーラが、高圧噴霧器用に回収溶媒を冷却するために設けられてよい。回収溶媒は、好ましくはエタノールおよび水のようなＧＲＡＳ溶媒（およびおそらく、例えば、微量溶質のような溶質）から本質的になる。
【００８２】
Ｇ．マイクロ波吸収剤
システムは、マイクロ波吸収剤を含んでよく、例えば、マイクロ波吸収剤はシステムの抽出チャンバ中に配置される。方法は、植物材料をマイクロ波吸収剤と組み合わせることを含んでよい。
【００８３】
ある実施形態では、マイクロ波吸収剤は食品中に存在せず、典型的なヒトの食事中にも見られない。
【００８４】
いくつかの実施形態では、マイクロ波吸収剤は、食品、植物材料、またはマイクロ波に曝露される別のタイプの組成物中に存在し、さらに、本明細書に記載されたシステムおよび方法で使用されるマイクロ波吸収剤の量は、食品、植物材料、または他のタイプの組成物中に典型的に見られるようなマイクロ波吸収剤の量より多い。
【００８５】
システムは、少なくとも約２ｇ、約３ｇ、約４ｇ、約５ｇ、約６ｇ、約７ｇ、約８ｇ、約９ｇ、約１０ｇ、約１５ｇ、約２０ｇ、約２５ｇ、約３０ｇ、約４０ｇ、約５０ｇ、約７５ｇ、約１００ｇ、約１５０ｇ、約２００ｇ、約２５０ｇ、約３００ｇ、約４００ｇ、または約５００ｇのような、少なくとも１グラムのマイクロ波吸収剤を含んでよい。システムは、約１０ｇ〜約１０ｋｇ、約１５ｇ〜約１０ｋｇ、約２０ｇ〜約１０ｋｇ、約２５ｇ〜約１０ｋｇ、約３０ｇ〜約１０ｋｇ、約４０ｇ〜約１０ｋｇ、約５０ｇ〜約１０ｋｇ、約７５ｇ〜約１０ｋｇ、約１００ｇ〜約１０ｋｇ、約１５０ｇ〜約１０ｋｇ、約２００ｇ〜約１０ｋｇ、約２５０ｇ〜約１０ｋｇ、約３００ｇ〜約１０ｋｇ、約４００ｇ〜約１０ｋｇ、約５００ｇ〜約１０ｋｇ、約１０ｇ〜約５ｋｇ、約１５ｇ〜約５ｋｇ、約２０ｇ〜約５ｋｇ、約２５ｇ〜約５ｋｇ、約３０ｇ〜約５ｋｇ、約４０ｇ〜約５ｋｇ、約５０ｇ〜約５ｋｇ、約７５ｇ〜約５ｋｇ、約１００ｇ〜約５ｋｇ、約１５０ｇ〜約５ｋｇ、約２００ｇ〜約５ｋｇ、約２５０ｇ〜約５ｋｇ、約３００ｇ〜約５ｋｇ、約４００ｇ〜約５ｋｇ、約５００ｇ〜約５ｋｇ、約１０ｇ〜約１ｋｇ、約１５ｇ〜約１ｋｇ、約２０ｇ〜約１ｋｇ、約２５ｇ〜約１ｋｇ、約３０ｇ〜約１ｋｇ、約４０ｇ〜約１ｋｇ、約５０ｇ〜約１ｋｇ、約７５ｇ〜約１ｋｇ、約１００ｇ〜約１ｋｇ、約１５０ｇ〜約１ｋｇ、約２００ｇ〜約１ｋｇ、約２５０ｇ〜約１ｋｇ、約３００ｇ〜約１ｋｇ、約４００ｇ〜約１ｋｇ、または約５００ｇ〜約１ｋｇのような、１ｇ〜約１０ｋｇのマイクロ波吸収剤を含んでよい。
【００８６】
システムは、少なくとも約２ｋｇ、約３ｋｇ、約４ｋｇ、約５ｋｇ、約６ｋｇ、約７ｋｇ、約８ｋｇ、約９ｋｇ、約１０ｋｇ、約１５ｋｇ、約２０ｋｇ、約２５ｋｇ、約３０ｋｇ、約４０ｋｇ、約５０ｋｇ、約７５ｋｇ、約１００ｋｇ、約１５０ｋｇ、約２００ｋｇ、約２５０ｋｇ、約３００ｋｇ、約４００ｋｇ、または約５００ｋｇのような、少なくとも１キログラムのマイクロ波吸収剤を含んでよい。システムは、約１０ｋｇ〜約５００ｋｇ、約１５ｋｇ〜約５００ｋｇ、約２０ｋｇ〜約５００ｋｇ、約２５ｋｇ〜約５００ｋｇ、約３０ｋｇ〜約５００ｋｇ、約４０ｋｇ〜約５００ｋｇ、約５０ｋｇ〜約５００ｋｇ、約７５ｋｇ〜約５００ｋｇ、約１００ｋｇ〜約５００ｋｇ、約１５０ｋｇ〜約５００ｋｇ、約２００ｋｇ〜約５００ｋｇ、約２５０ｋｇ〜約５００ｋｇ、約３００ｋｇ〜約５００ｋｇ、約４００ｋｇ〜約５００ｋｇ、約１ｋｇ〜約１００ｋｇ、約５ｋｇ〜約１００ｋｇ、約１０ｋｇ〜約１００ｋｇ、約１５ｋｇ〜約１００ｋｇ、約２０ｋｇ〜約１００ｋｇ、約２５ｋｇ〜約１００ｋｇ、約３０ｋｇ〜約１００ｋｇ、約４０ｋｇ〜約１００ｋｇ、約５０ｋｇ〜約１００ｋｇ、約７５ｋｇ〜約１００ｋｇ、約１ｋｇ〜約５０ｋｇ、約５ｋｇ〜約５０ｋｇ、約１０ｋｇ〜約５０ｋｇ、約１５ｋｇ〜約５０ｋｇ、約２０ｋｇ〜約５０ｋｇ、約２５ｋｇ〜約５０ｋｇ、約３０ｋｇ〜約５０ｋｇ、約４０ｋｇ〜約５０ｋｇ、約１ｋｇ〜約１０ｋｇ、約５ｋｇ〜約２０ｋｇ、約１０ｋｇ〜約２０ｋｇ、または約１５ｋｇ〜約２０ｋｇのような、１ｋｇ〜約５００ｋｇのマイクロ波吸収剤を含んでよい。
【００８７】
システムは、マイクロ波吸収剤と植物材料とを、約１０：１〜約５：１、約１０：１〜約１：１、約５：１〜約１：１、約５：１〜約１：２、約２：１〜約１：１、約２：１〜約１：２、約１：１〜約１：２、約１：１〜約１：３、約１：１〜約１：４、約１：１〜約１：５、約１：１〜約１：１０、約１：１〜約１：２０、約３：２〜約２：３、約３：２〜約１：１、約３：２〜約１：３、約２：３〜約１：３、約２：３〜約１：１、約１：２〜約１：３、約１：２〜約１：４、約１：２〜約１：５、約１：３〜約１：４、約１：３〜約１：５、約１：３〜約１：１０、約１：４〜約１：５、約１：４〜約１：１０、約１：５〜約１：１０、約１：５〜約１：２０、約１：５〜約１：２５、約１：１０〜約１：２０、約１：１０〜約１：５０、約１：１０〜約１：１００、約１：２０〜約１：１００、または約１：５０〜約１：１００のような、約１０：１〜約１：１００の比（質量：質量）、例えば、約１０：１、５：１、４：１、３：１、２：１、３：２、４：３、５：４、１：１、４：５、３：４、２：３、１：２、１：３、１：４、１：５、１：６、１：７、１：８、１：９、１：１０、１：２０、１：２５、１：３０、１：４０、１：５０、または１：１００で含んでよい。
【００８８】
方法は、植物材料とマイクロ波吸収剤とを組み合わせること、植物材料およびマイクロ波吸収剤を抽出チャンバ中へ挿入すること、マイクロ波吸収剤に照射すること、ならびに／またはマイクロ波吸収剤を誘電加熱することを含んでよく、マイクロ波吸収剤の量は、少なくとも約２ｋｇ、約３ｋｇ、約４ｋｇ、約５ｋｇ、約６ｋｇ、約７ｋｇ、約８ｋｇ、約９ｋｇ、約１０ｋｇ、約１５ｋｇ、約２０ｋｇ、約２５ｋｇ、約３０ｋｇ、約４０ｋｇ、約５０ｋｇ、約７５ｋｇ、約１００ｋｇ、約１５０ｋｇ、約２００ｋｇ、約２５０ｋｇ、約３００ｋｇ、約４００ｋｇ、または約５００ｋｇのような、少なくとも１キログラムのマイクロ波吸収剤である。方法は、植物材料とマイクロ波吸収剤とを組み合わせること、植物材料およびマイクロ波吸収剤を抽出チャンバ中へ挿入すること、マイクロ波吸収剤に照射すること、ならびに／またはマイクロ波吸収剤を誘電加熱することを含んでよく、マイクロ波吸収剤の量は、約１０ｇ〜約１０ｋｇ、約１５ｇ〜約１０ｋｇ、約２０ｇ〜約１０ｋｇ、約２５ｇ〜約１０ｋｇ、約３０ｇ〜約１０ｋｇ、約４０ｇ〜約１０ｋｇ、約５０ｇ〜約１０ｋｇ、約７５ｇ〜約１０ｋｇ、約１００ｇ〜約１０ｋｇ、約１５０ｇ〜約１０ｋｇ、約２００ｇ〜約１０ｋｇ、約２５０ｇ〜約１０ｋｇ、約３００ｇ〜約１０ｋｇ、約４００ｇ〜約１０ｋｇ、約５００ｇ〜約１０ｋｇ、約１０ｇ〜約５ｋｇ、約１５ｇ〜約５ｋｇ、約２０ｇ〜約５ｋｇ、約２５ｇ〜約５ｋｇ、約３０ｇ〜約５ｋｇ、約４０ｇ〜約５ｋｇ、約５０ｇ〜約５ｋｇ、約７５ｇ〜約５ｋｇ、約１００ｇ〜約５ｋｇ、約１５０ｇ〜約５ｋｇ、約２００ｇ〜約５ｋｇ、約２５０ｇ〜約５ｋｇ、約３００ｇ〜約５ｋｇ、約４００ｇ〜約５ｋｇ、約５００ｇ〜約５ｋｇ、約１０ｇ〜約１ｋｇ、約１５ｇ〜約１ｋｇ、約２０ｇ〜約１ｋｇ、約２５ｇ〜約１ｋｇ、約３０ｇ〜約１ｋｇ、約４０ｇ〜約１ｋｇ、約５０ｇ〜約１ｋｇ、約７５ｇ〜約１ｋｇ、約１００ｇ〜約１ｋｇ、約１５０ｇ〜約１ｋｇ、約２００ｇ〜約１ｋｇ、約２５０ｇ〜約１ｋｇ、約３００ｇ〜約１ｋｇ、約４００ｇ〜約１ｋｇ、または約５００ｇ〜約１ｋｇのような、１ｇ〜約１０ｋｇである。
【００８９】
方法は、植物材料とマイクロ波吸収剤とを組み合わせること、植物材料およびマイクロ波吸収剤を抽出チャンバ中へ挿入すること、マイクロ波吸収剤に照射すること、ならびに／またはマイクロ波吸収剤を誘電加熱することを含んでよく、マイクロ波吸収剤の量は、少なくとも約２ｇ、約３ｇ、約４ｇ、約５ｇ、約６ｇ、約７ｇ、約８ｇ、約９ｇ、約１０ｇ、約１５ｇ、約２０ｇ、約２５ｇ、約３０ｇ、約４０ｇ、約５０ｇ、約７５ｇ、約１００ｇ、約１５０ｇ、約２００ｇ、約２５０ｇ、約３００ｇ、約４００ｇ、または約５００ｇのような、少なくとも１グラムである。方法は、植物材料とマイクロ波吸収剤とを組み合わせること、植物材料およびマイクロ波吸収剤を抽出チャンバ中へ挿入すること、マイクロ波吸収剤に照射すること、ならびに／またはマイクロ波吸収剤を誘電加熱することを含んでよく、マイクロ波吸収剤の量は、約１０ｋｇ〜約５００ｋｇ、約１５ｋｇ〜約５００ｋｇ、約２０ｋｇ〜約５００ｋｇ、約２５ｋｇ〜約５００ｋｇ、約３０ｋｇ〜約５００ｋｇ、約４０ｋｇ〜約５００ｋｇ、約５０ｋｇ〜約５００ｋｇ、約７５ｋｇ〜約５００ｋｇ、約１００ｋｇ〜約５００ｋｇ、約１５０ｋｇ〜約５００ｋｇ、約２００ｋｇ〜約５００ｋｇ、約２５０ｋｇ〜約５００ｋｇ、約３００ｋｇ〜約５００ｋｇ、約４００ｋｇ〜約５００ｋｇ、約１ｋｇ〜約１００ｋｇ、約５ｋｇ〜約１００ｋｇ、約１０ｋｇ〜約１００ｋｇ、約１５ｋｇ〜約１００ｋｇ、約２０ｋｇ〜約１００ｋｇ、約２５ｋｇ〜約１００ｋｇ、約３０ｋｇ〜約１００ｋｇ、約４０ｋｇ〜約１００ｋｇ、約５０ｋｇ〜約１００ｋｇ、約７５ｋｇ〜約１００ｋｇ、約１ｋｇ〜約５０ｋｇ、約５ｋｇ〜約５０ｋｇ、約１０ｋｇ〜約５０ｋｇ、約１５ｋｇ〜約５０ｋｇ、約２０ｋｇ〜約５０ｋｇ、約２５ｋｇ〜約５０ｋｇ、約３０ｋｇ〜約５０ｋｇ、約４０ｋｇ〜約５０ｋｇ、約１ｋｇ〜約１０ｋｇ、約５ｋｇ〜約２０ｋｇ、約１０ｋｇ〜約２０ｋｇ、または約１５ｋｇ〜約２０ｋｇのような、１ｋｇ〜約５００ｋｇである。
【００９０】
方法は、マイクロ波吸収剤と植物材料とを、約１０：１〜約５：１、約１０：１〜約１：１、約５：１〜約１：１、約５：１〜約１：２、約２：１〜約１：１、約２：１〜約１：２、約１：１〜約１：２、約１：１〜約１：３、約１：１〜約１：４、約１：１〜約１：５、約１：１〜約１：１０、約１：１〜約１：２０、約３：２〜約２：３、約３：２〜約１：１、約３：２〜約１：３、約２：３〜約１：３、約２：３〜約１：１、約１：２〜約１：３、約１：２〜約１：４、約１：２〜約１：５、約１：３〜約１：４、約１：３〜約１：５、約１：３〜約１：１０、約１：４〜約１：５、約１：４〜約１：１０、約１：５〜約１：１０、約１：５〜約１：２０、約１：５〜約１：２５、約１：１０〜約１：２０、約１：１０〜約１：５０、約１：１０〜約１：１００、約１：２０〜約１：１００、または約１：５０〜約１：１００のような、約１０：１〜約１：１００の比（質量：質量）、例えば、約１０：１、５：１、４：１、３：１、２：１、３：２、４：３、５：４、１：１、４：５、３：４、２：３、１：２、１：３、１：４、１：５、１：６、１：７、１：８、１：９、１：１０、１：２０、１：２５、１：３０、１：４０、１：５０、または１：１００で組み合わせることを含んでよい。
【００９１】
極性化合物はマイクロ波を吸収し、有機極性化合物および無機極性化合物の両方を含む。有機分子と比較して無機分子は高い熱安定性を示すため、およびイオンは一般に非荷電分子より揮発性が低いため、無機イオン性分子がマイクロ波吸収剤としての使用に好ましい場合がある。安価な無機イオン性分子の例としては、リン酸塩、炭酸塩、硝酸塩、硫酸塩、およびケイ酸塩が挙げられる。マイクロ波吸収剤は、リン酸塩、炭酸塩、硝酸塩、硫酸塩、またはケイ酸塩であってよい。例えば、リン酸は４１５°Ｆの沸点を有し、したがって、リン酸塩は、４１５°Ｆ未満の沸点を有する植物油を揮発させるためのマイクロ波吸収剤として適している。安価な極性有機分子の例としては、デンプン、糖、脂肪酸、アミン、様々なタイプの炭素含有分子、およびグリコールエーテルが挙げられる。マイクロ波吸収剤は、デンプン、糖、脂肪酸、アミン、別のタイプの炭素含有分子、またはグリコールエーテルであってよい。例えば、ラウリン酸およびステアリン酸はそれぞれ５６８°Ｆおよび６８２°Ｆの沸点を有し、したがって、ラウリン酸（および／またはラウリン酸イオン）およびステアリン酸（および／またはステアリン酸イオン）は一般にマイクロ波吸収剤としての使用に適している。グリセロールは５５４°Ｆの沸点を有し、したがって、グリセロールは一般にマイクロ波吸収剤としての使用に適している。エチレングリコールは３８７°Ｆの沸点を有し、したがって、エチレングリコールは３８７°Ｆ未満の沸点を有する植物油を揮発させるためのマイクロ波吸収剤として適している。飽和脂肪酸および高発煙点を有する植物油、特に、硬化植物油は、一般にマイクロ波吸収剤として有用である（例えば、ヤシ油、綿実油、およびパーム油）。いくつかの実施形態では、マイクロ波吸収剤は、ポリエチレングリコールまたはポリシロキサンなどのポリマーである。マイクロ波吸収剤は、活性炭、木炭、無定形炭素、黒鉛層間化合物、カーボンナノチューブ、または膨張黒鉛のような炭素系固体であってよく、例えば、マイクロ波吸収剤のマイクロ波照射は界面分極（Ｍａｘｗｅｌｌ−Ｗａｇｎｅｒ−Ｓｉｌｌａｒｓ分極）を引き起こす。マイクロ波吸収剤は典型的には水ではない。
【００９２】
マイクロ波吸収剤は、典型的には、植物油の沸点より高い沸点を有する。例えば、マイクロ波吸収剤は、約３００°Ｆ、約３１０°Ｆ、約３１４°Ｆ、約３２０°Ｆ、約３３０°Ｆ、約３４０°Ｆ、約３５０°Ｆ、約３６０°Ｆ、約３７０°Ｆ、約３８０°Ｆ、約３９０°Ｆ、約４００°Ｆ、約４１０°Ｆ、約４２０°Ｆ、約４３０°Ｆ、約４４０°Ｆ、または約４５０°Ｆ超の沸点を有してよい。植物油の沸点より高い限り、マイクロ波吸収剤の正確な沸点は特に限定されない。比較して、水の沸点は２１２°Ｆである。
【００９３】
マイクロ波吸収剤は、典型的には、植物油の沸点より高い自然発火温度を有する。例えば、マイクロ波吸収剤は、約３６０°Ｆ、約３７０°Ｆ、約３８０°Ｆ、約３９０°Ｆ、約４００°Ｆ、約４１０°Ｆ、約４２０°Ｆ、約４３０°Ｆ、約４４０°Ｆ、または約４５０°Ｆ超の自然発火温度を有してよい。植物油の沸点より高い限り、マイクロ波吸収剤の正確な自然発火温度は特に限定されない。
【００９４】
Ｈ．マイクロ波吸収組成物
システムは、必要に応じてマイクロ波吸収組成物を含み、例えば、マイクロ波吸収組成物はシステムの抽出チャンバ中に配置される。「マイクロ波吸収組成物」なる用語が本明細書で使用される場合、マイクロ波吸収組成物はマイクロ波吸収剤を含む。方法は、植物材料をマイクロ波吸収組成物と組み合わせることを含んでよい。マイクロ波吸収組成物は、典型的には、固体または液体で濡れた固体である。
【００９５】
マイクロ波吸収組成物は、典型的には、例えば、少なくとも約１００ｍ２対１ｍ３、２００ｍ２対１ｍ３、５００ｍ２対１ｍ３、１０００ｍ２対１ｍ３、１０，０００ｍ２対１ｍ３、１００，０００ｍ２対１ｍ３、または１，０００，０００ｍ２対１ｍ３の高い表面積対体積比を有する。球形の１０μｍの粒子は、例えば、６００，０００ｍ２対１ｍ３の表面積対体積比を有し、球形の５ｃｍのビーズは１２０ｍ２対１ｍ３の表面積対体積比を有する。高い表面積対体積比は、マイクロ波吸収組成物と植物材料との間の効率的な熱伝導を可能にする。
【００９６】
マイクロ波吸収組成物は、約０．１μｍ〜約２５０μｍ、約０．１μｍ〜約５００μｍ、約０．１μｍ〜約１ｍｍ、約１μｍ〜約２５０μｍ、約１μｍ〜約５００μｍ、約１μｍ〜約１ｍｍ、約１０μｍ〜約２５０μｍ、約１０μｍ〜約５００μｍ、約１０μｍ〜約１ｍｍ、約５０μｍ〜約５００μｍ、約１００μｍ〜約１ｍｍ、約５００μｍ〜約５ｍｍ、約１ｍｍ〜約１ｃｍ、または約５ｍｍ〜約５ｃｍの大きさの固体の混合物を含んでよい。固体の混合物は、例えば、粉末および／もしくはビーズ、記載された様々な直径の繊維、グリット、フレーク、規則充填物ならびに／または高表面積を促す他の固体の混合物を含んでよい。
【００９７】
いくつかの実施形態では、マイクロ波吸収組成物は、１つまたは複数のマイクロ波吸収剤を含浸させた、一般に非マイクロ波吸収性またはマイクロ波吸収性の弱い基材からなってよい。そのような含浸基材は、様々なタイプの極性分子、双極子分子、様々なタイプの炭素分子、炭酸塩、本出願で具体的に言及されたマイクロ波吸収剤のいずれか、またはカプセル化水分子もしくはそのようなものの混合物さえ含有してよい。含浸ガラス基材、含浸セラミック基材、含浸粘土、含浸塩、含浸金属または他の含浸基材がマイクロ波吸収組成物として使用されてよい。１つまたは複数のマイクロ波吸収剤を含浸させてよい一般に非マイクロ波吸収性の基材のいくつかの非限定例としては、様々な形態のガラスビーズ、ガラス粉末、ガラスグリット、ガラス繊維、ガラス充填物、グラスウール、ならびにイオン、双極子分子、極性分子、および／もしくは他のマイクロ波吸収不純物のようなマイクロ波吸収剤を含有する他の形態のガラス、イオン、含浸水分子、双極子分子、極性分子、および／もしくは他のマイクロ波吸収物質のようなマイクロ波吸収剤を含有する様々な形態のセラミックビーズ、セラミック粉末、ならびにセラミックグリットまたはセラミックフレーク、特定のマイクロ波吸収剤を含有する様々な形態の粘土、ならびに当業者に一般に知られているであろうマイクロ波吸収剤を含有する他の基材が挙げられる。含浸基材のさらなる例は、砂、または様々な形態の破砕された岩もしくは鉱物である。様々なタイプの炭酸塩鉱物も使用されてよい。
【００９８】
固体の混合物は、様々なタイプの金属、ガラス、セラミック、砂、および／または粘土を含んでよい。いくつかの実施形態では、マイクロ波吸収組成物は液体ではない。いくつかの実施形態では、マイクロ波吸収組成物は液体を含有しない。あるいは、マイクロ波吸収組成物は、固体構成要素および液体構成要素を含んでよく、例えば、固体構成要素はマイクロ波吸収組成物からの液体構成要素の放出を阻止するために液体構成要素をカプセル化し、または液体構成要素は液体が固体の表面上に残るような方法で組成物をコーティングする。さらに他の実施形態では、マイクロ波吸収組成物は液体またはゲルである。
【００９９】
マイクロ波吸収組成物は、少なくとも１つのロッド、チューブ、またはシートを含んでよい。少なくとも１つのロッド、チューブ、またはシートは、約１ｃｍ〜約１０ｃｍ、約５ｃｍ〜約５０ｃｍ、または約１０ｃｍ〜約１００ｃｍのような、約１ｃｍ〜約１００ｃｍの少なくとも１つの寸法を有してよい。例えば、ロッドは、（１）約５０μｍ〜約５ｃｍ、約５０μｍ〜約５００μｍ、約１００μｍ〜約１ｍｍ、約５００μｍ〜約５ｍｍ、約１ｍｍ〜約１ｃｍ、または約５ｍｍ〜約５ｃｍの直径、および（２）約１ｃｍ〜約１ｍ、約１ｃｍ〜約１０ｃｍ、約５ｃｍ〜約５０ｃｍ、約１０ｃｍ〜約１００ｃｍ、約５０ｃｍ〜約５００ｃｍ、または約１００ｃｍ〜約１ｍの長さを有してよい。チューブは、（１）約５０μｍ〜約５ｃｍ、約５０μｍ〜約５００μｍ、約１００μｍ〜約１ｍｍ、約５００μｍ〜約５ｍｍ、約１ｍｍ〜約１ｃｍ、または約５ｍｍ〜約５ｃｍの内径、（２）約１ｃｍ〜約１ｍ、約１ｃｍ〜約１０ｃｍ、約５ｃｍ〜約５０ｃｍ、約１０ｃｍ〜約１００ｃｍ、約５０ｃｍ〜約５００ｃｍ、または約１００ｃｍ〜約１ｍの長さ、および（３）約５０μｍ〜約１ｃｍ、約５０μｍ〜約５００μｍ、約１００μｍ〜約１ｍｍ、約５００μｍ〜約５ｍｍ、または約１ｍｍ〜約１ｃｍの厚さを有してよい。シートは、（１）約１ｃｍ〜約１ｍ、約１ｃｍ〜約１０ｃｍ、約５ｃｍ〜約５０ｃｍ、約１０ｃｍ〜約１００ｃｍ、約５０ｃｍ〜約５００ｃｍ、または約１００ｃｍ〜約１ｍの長さおよび／または幅、ならびに（２）約１０μｍ〜約１ｃｍ、約１０μｍ〜約１００μｍ、約５０μｍ〜約５００μｍ、約１００μｍ〜約１ｍｍ、約５００μｍ〜約５ｍｍ、または約１ｍｍ〜約１ｃｍの厚さを有してよい。
【０１００】
方法は、植物材料をマイクロ波吸収剤と組み合わせることを含んでよく、マイクロ波吸収組成物はマイクロ波吸収剤を含み、マイクロ波吸収組成物はシートであり、組み合わせることは、植物材料をシート上に広げ、シートを巻いてコイル状シートにすることを含む。
【０１０１】
ある実施形態では、マイクロ波吸収組成物は食品中に存在せず、典型的なヒトの食事中にも見られない。
【０１０２】
いくつかの実施形態では、マイクロ波吸収組成物は、食品、植物材料、またはマイクロ波に曝露される別のタイプの組成物中に存在し、さらに、本明細書に記載されたシステムおよび方法で使用されるマイクロ波吸収組成物の量は、食品、植物材料、または他のタイプの組成物中に見られるようなマイクロ波吸収組成物の量より多い。
【０１０３】
システムは、少なくとも約２ｇ、約３ｇ、約４ｇ、約５ｇ、約６ｇ、約７ｇ、約８ｇ、約９ｇ、約１０ｇ、約１５ｇ、約２０ｇ、約２５ｇ、約３０ｇ、約４０ｇ、約５０ｇ、約７５ｇ、約１００ｇ、約１５０ｇ、約２００ｇ、約２５０ｇ、約３００ｇ、約４００ｇ、または約５００ｇのような、少なくとも１グラムのマイクロ波吸収組成物を含んでよい。システムは、約１０ｇ〜約１０ｋｇ、約１５ｇ〜約１０ｋｇ、約２０ｇ〜約１０ｋｇ、約２５ｇ〜約１０ｋｇ、約３０ｇ〜約１０ｋｇ、約４０ｇ〜約１０ｋｇ、約５０ｇ〜約１０ｋｇ、約７５ｇ〜約１０ｋｇ、約１００ｇ〜約１０ｋｇ、約１５０ｇ〜約１０ｋｇ、約２００ｇ〜約１０ｋｇ、約２５０ｇ〜約１０ｋｇ、約３００ｇ〜約１０ｋｇ、約４００ｇ〜約１０ｋｇ、約５００ｇ〜約１０ｋｇ、約１０ｇ〜約５ｋｇ、約１５ｇ〜約５ｋｇ、約２０ｇ〜約５ｋｇ、約２５ｇ〜約５ｋｇ、約３０ｇ〜約５ｋｇ、約４０ｇ〜約５ｋｇ、約５０ｇ〜約５ｋｇ、約７５ｇ〜約５ｋｇ、約１００ｇ〜約５ｋｇ、約１５０ｇ〜約５ｋｇ、約２００ｇ〜約５ｋｇ、約２５０ｇ〜約５ｋｇ、約３００ｇ〜約５ｋｇ、約４００ｇ〜約５ｋｇ、約５００ｇ〜約５ｋｇ、約１０ｇ〜約１ｋｇ、約１５ｇ〜約１ｋｇ、約２０ｇ〜約１ｋｇ、約２５ｇ〜約１ｋｇ、約３０ｇ〜約１ｋｇ、約４０ｇ〜約１ｋｇ、約５０ｇ〜約１ｋｇ、約７５ｇ〜約１ｋｇ、約１００ｇ〜約１ｋｇ、約１５０ｇ〜約１ｋｇ、約２００ｇ〜約１ｋｇ、約２５０ｇ〜約１ｋｇ、約３００ｇ〜約１ｋｇ、約４００ｇ〜約１ｋｇ、または約５００ｇ〜約１ｋｇのような、１ｇ〜約１０ｋｇのマイクロ波吸収組成物を含んでよい。
【０１０４】
システムは、マイクロ波吸収組成物と植物材料とを、約１０：１〜約５：１、約１０：１〜約１：１、約５：１〜約１：１、約５：１〜約１：２、約２：１〜約１：１、約２：１〜約１：２、約１：１〜約１：２、約１：１〜約１：３、約１：１〜約１：４、約１：１〜約１：５、約１：１〜約１：１０、約１：１〜約１：２０、約３：２〜約２：３、約３：２〜約１：１、約３：２〜約１：３、約２：３〜約１：３、約２：３〜約１：１、約１：２〜約１：３、約１：２〜約１：４、約１：２〜約１：５、約１：３〜約１：４、約１：３〜約１：５、約１：３〜約１：１０、約１：４〜約１：５、約１：４〜約１：１０、約１：５〜約１：１０、約１：５〜約１：２０、約１：５〜約１：２５、約１：１０〜約１：２０、約１：１０〜約１：５０、約１：１０〜約１：１００、約１：２０〜約１：１００、または約１：５０〜約１：１００のような、約１０：１〜約１：１００の比（質量：質量）、例えば、約１０：１、５：１、４：１、３：１、２：１、３：２、４：３、５：４、１：１、４：５、３：４、２：３、１：２、１：３、１：４、１：５、１：６、１：７、１：８、１：９、１：１０、１：２０、１：２５、１：３０、１：４０、１：５０、または１：１００で含んでよい。
【０１０５】
方法は、植物材料とマイクロ波吸収組成物とを組み合わせること、植物材料およびマイクロ波吸収組成物を抽出チャンバ中へ挿入すること、マイクロ波吸収組成物に照射すること、ならびに／またはマイクロ波吸収組成物を誘電加熱することを含んでよく、マイクロ波吸収組成物の量は、少なくとも約２ｇ、約３ｇ、約４ｇ、約５ｇ、約６ｇ、約７ｇ、約８ｇ、約９ｇ、約１０ｇ、約１５ｇ、約２０ｇ、約２５ｇ、約３０ｇ、約４０ｇ、約５０ｇ、約７５ｇ、約１００ｇ、約１５０ｇ、約２００ｇ、約２５０ｇ、約３００ｇ、約４００ｇ、または約５００ｇのような、少なくとも１グラムである。方法は、植物材料とマイクロ波吸収組成物とを組み合わせること、植物材料およびマイクロ波吸収組成物を抽出チャンバ中へ挿入すること、マイクロ波吸収組成物に照射すること、ならびに／またはマイクロ波吸収組成物を誘電加熱することを含んでよく、マイクロ波吸収組成物の量は、約１０ｇ〜約１０ｋｇ、約１５ｇ〜約１０ｋｇ、約２０ｇ〜約１０ｋｇ、約２５ｇ〜約１０ｋｇ、約３０ｇ〜約１０ｋｇ、約４０ｇ〜約１０ｋｇ、約５０ｇ〜約１０ｋｇ、約７５ｇ〜約１０ｋｇ、約１００ｇ〜約１０ｋｇ、約１５０ｇ〜約１０ｋｇ、約２００ｇ〜約１０ｋｇ、約２５０ｇ〜約１０ｋｇ、約３００ｇ〜約１０ｋｇ、約４００ｇ〜約１０ｋｇ、約５００ｇ〜約１０ｋｇ、約１０ｇ〜約５ｋｇ、約１５ｇ〜約５ｋｇ、約２０ｇ〜約５ｋｇ、約２５ｇ〜約５ｋｇ、約３０ｇ〜約５ｋｇ、約４０ｇ〜約５ｋｇ、約５０ｇ〜約５ｋｇ、約７５ｇ〜約５ｋｇ、約１００ｇ〜約５ｋｇ、約１５０ｇ〜約５ｋｇ、約２００ｇ〜約５ｋｇ、約２５０ｇ〜約５ｋｇ、約３００ｇ〜約５ｋｇ、約４００ｇ〜約５ｋｇ、約５００ｇ〜約５ｋｇ、約１０ｇ〜約１ｋｇ、約１５ｇ〜約１ｋｇ、約２０ｇ〜約１ｋｇ、約２５ｇ〜約１ｋｇ、約３０ｇ〜約１ｋｇ、約４０ｇ〜約１ｋｇ、約５０ｇ〜約１ｋｇ、約７５ｇ〜約１ｋｇ、約１００ｇ〜約１ｋｇ、約１５０ｇ〜約１ｋｇ、約２００ｇ〜約１ｋｇ、約２５０ｇ〜約１ｋｇ、約３００ｇ〜約１ｋｇ、約４００ｇ〜約１ｋｇ、または約５００ｇ〜約１ｋｇのような、１ｇ〜約１０ｋｇである。
【０１０６】
方法は、マイクロ波吸収組成物と植物材料とを、約１０：１〜約５：１、約１０：１〜約１：１、約５：１〜約１：１、約５：１〜約１：２、約２：１〜約１：１、約２：１〜約１：２、約１：１〜約１：２、約１：１〜約１：３、約１：１〜約１：４、約１：１〜約１：５、約１：１〜約１：１０、約１：１〜約１：２０、約３：２〜約２：３、約３：２〜約１：１、約３：２〜約１：３、約２：３〜約１：３、約２：３〜約１：１、約１：２〜約１：３、約１：２〜約１：４、約１：２〜約１：５、約１：３〜約１：４、約１：３〜約１：５、約１：３〜約１：１０、約１：４〜約１：５、約１：４〜約１：１０、約１：５〜約１：１０、約１：５〜約１：２０、約１：５〜約１：２５、約１：１０〜約１：２０、約１：１０〜約１：５０、約１：１０〜約１：１００、約１：２０〜約１：１００、または約１：５０〜約１：１００のような、約１０：１〜約１：１００の比（質量：質量）、例えば、約１０：１、５：１、４：１、３：１、２：１、３：２、４：３、５：４、１：１、４：５、３：４、２：３、１：２、１：３、１：４、１：５、１：６、１：７、１：８、１：９、１：１０、１：２０、１：２５、１：３０、１：４０、１：５０、または１：１００で組み合わせることを含んでよい。
【０１０７】
マイクロ波吸収組成物には、典型的には、植物油の沸点未満の沸点を有する化合物は存在しない。例えば、マイクロ波吸収組成物には、典型的には、約３００°Ｆ、約３１０°Ｆ、約３１４°Ｆ、約３２０°Ｆ、約３３０°Ｆ、約３４０°Ｆ、約３５０°Ｆ、約３６０°Ｆ、約３７０°Ｆ、約３８０°Ｆ、約３９０°Ｆ、約４００°Ｆ、約４１０°Ｆ、約４２０°Ｆ、約４３０°Ｆ、約４４０°Ｆ、または約４５０°Ｆ未満の沸点を有する化合物は存在しない。各化合物が植物油の沸点より高い沸点を有する限り、マイクロ波吸収組成物を構成する化合物の正確な沸点は特に限定されない。比較して、水の沸点は２１２°Ｆである。
【０１０８】
マイクロ波吸収組成物は、典型的には、植物油の沸点より高い自然発火温度を有する。例えば、マイクロ波吸収組成物は、約３６０°Ｆ、約３７０°Ｆ、約３８０°Ｆ、約３９０°Ｆ、約４００°Ｆ、約４１０°Ｆ、約４２０°Ｆ、約４３０°Ｆ、約４４０°Ｆ、または約４５０°Ｆ超の自然発火温度を有してよい。植物油の沸点より高い限り、マイクロ波吸収組成物の正確な自然発火温度は特に限定されない。
【０１０９】
Ｉ．カートリッジ
システムは、１つまたは複数の取り外し可能カートリッジを含んでよい。取り外し可能カートリッジは、典型的には、準備された植物材料（すなわち、植物材料およびマイクロ波吸収剤またはマイクロ波吸収組成物を含む混合物）を含有するように構成される。取り外し可能カートリッジは、準備された植物材料を含んでよい。取り外し可能カートリッジは、好ましくは、取り外し可能カートリッジが、例えば抽出チャンバの第１の開口を介して、抽出チャンバに出入りできるような形状および大きさである。取り外し可能カートリッジは外壁を含み、取り外し可能カートリッジの外壁は抽出チャンバの内壁と摺動自在に係合してよい。このように、取り外し可能カートリッジは、抽出チャンバ内外へのカートリッジおよび／または準備された植物材料の挿入および／または取り外しを促進し得る。
【０１１０】
取り外し可能カートリッジは、揮発油をカートリッジから出す開口を含有する。取り外し可能カートリッジは、カートリッジ中へのマイクロ波放射線の伝達を可能にする開口、またはマイクロ波吸収剤を誘電加熱できかつ／またはマイクロ波吸収剤を界面分極もしくはＭａｘｗｅｌｌ−Ｗａｇｎｅｒ−Ｓｉｌｌａｒｓ分極によって加熱できる周波数のマイクロ波放射線の伝達に対して透過性である壁のいずれかを含有する。
【０１１１】
取り外し可能カートリッジは、必要に応じて、その中の準備された植物材料の回転、撹拌、または振盪を可能にするように構成される。
【０１１２】
システムは、密封パックを含んでよく、例えば、密封パックは、取り外し可能カートリッジへの開口の少なくとも一部を密封するように構成される。例えば、取り外し可能カートリッジは、単一の開口を有してよく、植物材料およびマイクロ波吸収剤／組成物は単一の開口を通して取り外し可能カートリッジ中へ挿入されてよく、単一の開口は密封パックで密封されてよい。密封パックは、揮発油を取り外し可能カートリッジ内から冷却チャンバ中へ向けるように構成された開口を含んでよい。本明細書に記載されるようなフィルタが、必要に応じて、密封パックと、植物材料とマイクロ波吸収剤／組成物との混合物との間に位置してよい。
【０１１３】
Ｊ．方法
実施形態の方法は、典型的には、植物材料から油を抽出するためのシステムを提供することを含み、システムは本明細書に記載されるようなマイクロ波エミッタ、抽出チャンバ、および冷却チャンバを含む。
【０１１４】
方法は、典型的には、植物材料とマイクロ波吸収剤とを組み合わせ、それにより準備された植物材料を作ることを含む。植物材料とマイクロ波吸収剤とを組み合わせることは、植物材料と、マイクロ波吸収剤を含むマイクロ波吸収組成物とを組み合わせることを含んでよい。組み合わせることは、混合またはブレンドすることを指してよい。「組み合わせること」なる用語が本明細書で使用される場合、マイクロ波吸収剤またはマイクロ波吸収組成物が植物材料を、直接的に（例えば、剤もしくは組成物のいずれかと植物材料との直接接触を通して、例えば熱放射によって）、および／または間接的に（例えば、剤もしくは組成物のいずれかと植物材料との間の気体の循環によって、例えば対流によって）加熱できるように、剤または組成物に近接して植物材料を位置付けることを指す。組み合わせることは、好ましくは、植物材料とマイクロ波吸収剤または組成物との間の接触表面積の最大化と、揮発油が準備された植物材料を出られるように、準備された植物材料中に必要な空隙とを両立させる。
【０１１５】
方法は、典型的には、準備された植物材料をシステムの抽出チャンバ中へ挿入することを含む。準備された植物材料を抽出チャンバ中へ挿入することは、準備された植物材料を含むカートリッジを抽出チャンバ中へ挿入することを含んでよい。準備された植物材料は、抽出チャンバの第１の開口を通して抽出チャンバ中へ挿入されてよい。
【０１１６】
方法は、例えば、準備された植物材料を抽出チャンバ中へ挿入した後に、抽出チャンバの第１の開口を閉じることを含んでよい。閉じることは、密封することを含んでよい。抽出チャンバは、例えば、密封パックで閉じられてよい。密封パックは、抽出チャンバの第１の開口を密封し、それにより揮発油が第１の開口を通って抽出チャンバを出ることを阻止するように構成されてよい。
【０１１７】
方法は、典型的には、マイクロ波吸収剤にマイクロ波エミッタから放射されたマイクロ波を照射し、それによりマイクロ波吸収剤の誘電加熱および／またはマイクロ波吸収剤の界面分極もしくはＭａｘｗｅｌｌ−Ｗａｇｎｅｒ−Ｓｉｌｌａｒｓ分極による加熱を行い、植物油を加熱し、植物油を揮発させて揮発油を生成することを含む。加熱の正確な機構は特に限定されないが、植物油の加熱は、マイクロ波吸収組成物および／または植物材料によって、例えば、伝導、対流、および／または熱放射によって媒介されてよい。
【０１１８】
方法は、典型的には、植物材料を植物油の沸点より高い温度に加熱することを含む。方法は、植物材料を、約５０°Ｆ〜約１００°Ｆ、約５０°Ｆ〜約１５０°Ｆ、約３００°Ｆ〜約４５０°Ｆ、約３１４°Ｆ〜約４５０°Ｆ、約３１４°Ｆ〜約４２７°Ｆ、約３１４°Ｆ〜約４００°Ｆ、約３６５°Ｆ〜約４５０°Ｆ、約３６５°Ｆ〜約４２７°Ｆ、または約３６５°Ｆ〜約４００°Ｆのような約５０°Ｆ〜約４５０°Ｆの温度に加熱することを含んでよい。加熱は、好ましくは、植物油または植物材料の熱分解を引き起こさない。
【０１１９】
方法は、好ましくは、抽出チャンバの内部の温度を監視することを含む。方法は、抽出チャンバの内部の植物材料の温度を監視することを含んでよい。温度を監視する正確な方法は特に限定されず、温度は任意の既知の方法を使用して、例えば、抽出チャンバ内に配置された熱電対を監視することによって、監視されてよい。
【０１２０】
方法は、抽出チャンバの内部の気化温度を維持することを含んでよい。気化温度は、好ましくは、植物油の沸点超かつ植物材料の自然発火温度未満、例えば約４５０°Ｆ未満で維持される。気化温度は、約５０°Ｆ〜約１００°Ｆ、約５０°Ｆ〜約１５０°Ｆ、約３００°Ｆ〜約４５０°Ｆ、約３１４°Ｆ〜約４５０°Ｆ、約３１４°Ｆ〜約４２７°Ｆ、約３１４°Ｆ〜約４００°Ｆ、約３６５°Ｆ〜約４５０°Ｆ、約３６５°Ｆ〜約４２７°Ｆ、または約３６５°Ｆ〜約４００°Ｆのような、約５０°Ｆ〜約４５０°Ｆであってよい。気化温度の維持は、好ましくは、植物油または植物材料の熱分解を引き起こさない。
【０１２１】
方法は、抽出チャンバの内部の温度を約１００°Ｆ〜約３００°Ｆ、約１００°Ｆ〜約２００°Ｆ、約１５０°Ｆ〜約２５０°Ｆ、または約２００°Ｆ〜約３００°Ｆで維持することを含んでよい。
【０１２２】
方法は、例えば、指定の範囲内の温度を維持するために、マイクロ波放射線の出力を調整することを含んでよい。マイクロ波放射線の出力を調整することは、例えば、マイクロ波吸収剤に照射するマイクロ波放射線の強度を調整すること、および／またはマイクロ波吸収剤に照射するマイクロ波放射線のオンオフを繰り返すことを含んでよい。
【０１２３】
方法は、抽出チャンバの内部の気化温度を、５秒〜３０秒、３０秒〜４５秒、３０秒〜１分、１分〜２分などの約５秒〜２分の間、または約２分〜約１２０分、約４分〜約６０分、約８分〜約４０分、約２分〜約１０分、約５分〜約１５分、約１０分〜約２０分、約１５分〜約３０分、もしくは約２０分〜約４０分などの２分〜約５時間の間、維持することを含んでよい。
【０１２４】
方法は、例えば、植物油および／または植物材料を均等に加熱するように、マイクロ波吸収剤に関してマイクロ波放射線の伝搬方向を変更することを含んでよい。伝搬方向を変更することは、例えば、マイクロ波吸収剤に照射しながら、植物材料および／またはマイクロ波吸収剤／組成物を撹拌、振盪、または回転することを含んでよい。例えば、方法は、抽出チャンバまたは抽出チャンバ内に配置されたカートリッジのいずれかを回転または振盪することを含んでよい。方法は、例えば、１つまたは複数のブレードを含むスターラのようなスターラで、植物材料およびマイクロ波吸収剤／組成物を撹拌することを含んでよい。
【０１２５】
方法は、冷却チャンバ中で揮発油を冷却および／または凝縮することを含んでよい。揮発油の冷却および／または凝縮は、典型的には、凝縮油を生成する。冷却および／または凝縮は、典型的には、揮発油を冷却チャンバの表面に向けることによって実施され、表面は揮発油の沸点未満の温度を有する。冷却チャンバは、揮発油の沸点未満の温度を有する少なくとも１つの表面を含んでよい。
【０１２６】
いくつかの実施形態では、少なくとも１つの表面の温度は、室温以上で維持される。室温より高い温度は、典型的には凝縮油の粘度を低下させ、これは凝縮油の回収に利点を提供してよい。「室温」なる用語が本明細書で使用される場合、室温は７０°Ｆである。
【０１２７】
いくつかの実施形態では、少なくとも１つの表面の温度は、冷却チャンバの内部に含有された圧力で水の沸点以上、すなわち、大気圧で２１２°Ｆ以上または９９．７％の真空で１５°Ｆ以上で維持され、これは水の凝縮なしで油の凝縮を可能にしてよい。いくつかの実施形態では、少なくとも１つの表面は、冷却チャンバおよび揮発油の性質に応じて、例えば、凝縮油の収率を上げるように、水の沸点未満で維持されてよい。
【０１２８】
方法は、冷却チャンバの少なくとも１つの表面を、約８０°Ｆ〜約３１４°Ｆ、約１００°Ｆ〜約３１４°Ｆ、約１５０°Ｆ〜約３１４°Ｆ、約２００°Ｆ〜約３１４°Ｆ、約２１２°Ｆ〜約３１４°Ｆ、約２５０°Ｆ〜約３１４°Ｆ、約３００°Ｆ〜約３１４°Ｆ、約８０°Ｆ〜約３００°Ｆ、約１００°Ｆ〜約３００°Ｆ、約１５０°Ｆ〜約３００°Ｆ、約２００°Ｆ〜約３００°Ｆ、約２１２°Ｆ〜約３００°Ｆ、約２５０°Ｆ〜約３００°Ｆ、約８０°Ｆ〜約２５０°Ｆ、約１００°Ｆ〜約２５０°Ｆ、約１５０°Ｆ〜約２５０°Ｆ、約２００°Ｆ〜約２５０°Ｆ、約２１２°Ｆ〜約２５０°Ｆ、約８０°Ｆ〜約２００°Ｆ、約１００°Ｆ〜約２００°Ｆ、約１５０°Ｆ〜約２００°Ｆ、約８０°Ｆ〜約１５０°Ｆ、約１００°Ｆ〜約１５０°Ｆ、または約８０°Ｆ〜約１００°Ｆなどの、約７０°Ｆ〜約３１４°Ｆの温度で維持することを含んでよい。
【０１２９】
方法は、必要に応じて、抽出チャンバおよび／または取り外し可能カートリッジに真空を適用することをさらに含んでよい。
【０１３０】
方法は、冷却チャンバの少なくとも１つの表面を、約０°Ｆ〜約−５０°Ｆ、約０°Ｆ〜約−１００°Ｆ、または約−５０°Ｆ〜約−１５０°Ｆなどの、約０°Ｆ〜約−３２５°Ｆの温度で維持することを含んでよく、例えば、ここで方法は、抽出チャンバおよび／または取り外し可能カートリッジに真空を適用することも含む。方法は、冷却チャンバの少なくとも１つの表面を、約５０°Ｆ〜約３０°Ｆ、約４０°Ｆ〜約２０°Ｆ、約３０°Ｆ〜約１０°Ｆ、または約２０°Ｆ〜約０°Ｆなどの、約５０°Ｆ〜約０°Ｆの温度で維持することを含んでよい。
【０１３１】
方法は、凝縮油の少なくとも一部を回収し、それにより回収油を生成することを含んでよい。方法は、凝縮油の本質的にすべてを回収することを含んでよい。凝縮油の少なくとも一部を回収することは、典型的には、凝縮油を冷却チャンバの表面（複数可）から分離した区画へ移すことを含み、これは、受動的に（例えば、重力によって）、機械的に（例えば、ポンプもしくはブレードによって）または手動で（例えば、冷却チャンバを開け、そこから凝縮油を除去することによって）達成されてよい。
【０１３２】
方法は、必要に応じて、凝縮油または回収油から水を除去することを含んでよい。水は、例えば、回収油を水の沸点より高い温度に加熱し（例えば、大気圧または水の沸点を下げるための真空支援のいずれかで）、それにより回収油から水を蒸発させることによって、回収油から除去されてよい。水は、回収油から水相を単純に分離することによって除去されてよい。
【０１３３】
本明細書に記載された様々な実施形態による方法は、典型的には水蒸気蒸留を含まない。いくつかの実施形態では、植物材料から揮発する植物油の質量は、植物材料から揮発する水の質量より大きい。植物材料から揮発する植物油の質量の、植物材料から揮発する水の質量に対する比は、例えば、少なくとも約１：３、約１：２、約１：１、約２：１、または約３：１であってよい。
【０１３４】
Ｋ．回収油
「植物油」なる用語が本明細書に記載される場合、回収油は植物油または植物油の混合物である。回収油は、例えば、蒸留によって植物材料から精製されているため、典型的には食用に適している。回収油は、典型的には、イソブタン、エタノール、またはクロロホルムのような有機溶媒を含有しない。それにもかかわらず、場合によっては、本明細書に記載されたシステムのフラッシングまたは洗浄にエタノールが使用されることがあるため、回収油は微量のエタノールを含有する。回収油は、例えば、カンナビジオールおよび／またはデルタ−９−テトラヒドロカンナビノールを含んでよい。回収油の少なくとも約５％、１０％、１５％、２０％、３０％、４０％、５０％、６０％、７０％、８０％、８５％、９０％、９６％、９７％、９８％、または９９％は、カンナビジオールおよび／もしくはテトラヒドロカンナビノールの形態、または他のカンナビノイドからなってよい。
【０１３５】
Ｌ．非限定的な例示的システム
図１に示すように、システムは、マイクロ波チャンバ１、マイクロ波透過可能植物材料カートリッジ２、植物材料カートリッジ２内に含有された植物材料とマイクロ波吸収剤との混合物３（「準備された植物材料」）、マイクロ波チャンバの第１の開口からの挿入を促進する、植物材料カートリッジのマイクロ波遮蔽端４、植物材料カートリッジ２内に、または植物材料カートリッジ２に隣接して置かれてよいフィルタパッド５、植物材料カートリッジ２と接触する（または植物材料カートリッジ２の蓋／栓として利用される）密封面６、蒸気を植物材料カートリッジ２内から通過させてマイクロ波チャンバ１から出す蒸気出口７（例えば、第２の開口）、必要に応じて冷却剤のジャケット付きであってよい蒸気冷却器８、凝縮油リザーバ９、植物材料カートリッジ温度センサ１０、冷却チャンバ温度センサ１１、およびマイクロ波エミッタ１２を含んでよい。
【０１３６】
図１に示された発明を動作させるために、空の植物材料カートリッジ２を平らな面にマイクロ波遮蔽端４を下にして置く。植物材料カートリッジ２を、準備された植物材料を提供するように植物材料とマイクロ波吸収剤との混合物３で満たす。マイクロ波吸収剤は、イオンおよび／もしくは双極子を含有する基材のような１つもしくは複数の様々なタイプの極性基材、またはマイクロ波放射線によって励起される任意の他の物質もしくは基材を含んでよい。植物材料カートリッジ２を準備された植物材料３で満たしたら、フィルタ５（ガラス繊維を含んでよい）を必要に応じて準備された植物材料３の上に置き、準備された植物材料３を堅く詰める。その後、植物材料カートリッジ２を、マイクロ波チャンバ１の下面に堅く接触するようにマイクロ波チャンバ１の頂部を通して挿入する。植物材料カートリッジ２のマイクロ波チャンバ１中への適切な挿入を確実にするために、リミットスイッチまたはロック装置が使用されてよい。
【０１３７】
マイクロ波チャンバ１中へ挿入したら、マイクロ波エミッタ１２はマイクロ波放射線を植物材料カートリッジ２中へ放射する。マイクロ波放射線はマイクロ波吸収剤を誘電加熱し、それが植物材料を加熱する。マイクロ波エミッタ制御装置にフィードバックを提供して植物材料および／または植物油の過熱または熱分解を阻止するために、マイクロ波安全温度センサ１０を使用する。植物材料を加熱すると、植物材料内の植物油は気化し、蒸気出口７（「第２の開口」）を通って植物材料カートリッジ２を出る。その後、気化油は蒸気冷却器８の表面に接触し、それにより気化油は凝縮して凝縮油になる。蒸気冷却器８の温度は、必要に応じて、気化油を凝縮させるのに十分に冷たいが、凝縮油の流れを保つには十分に熱い温度で維持されてよい。あるいは、蒸気冷却器８の温度は、揮発油を捕捉するために比較的低温に保たれ、その後、凝縮油を流すために間欠的に加熱されてよい。凝縮油は、蒸気冷却器８から油回収リザーバ９中へ流れる。
【０１３８】
本明細書に記載された本発明の実施形態が、本発明の範囲または教示から逸脱することなく他の方法で変更されてよいことを、当業者は理解するであろう。マイクロ波の代わりに電磁スペクトルの様々な他の部分が使用されてよく、依然として本発明の範囲内にあることも、当業者は理解するであろう。以下の特許請求の範囲は、すべての均等物を含み、本発明の範囲を定義する。
【図１】
2020515379.tif 000003
【国際調査報告】
2020515379.tif 000004
2020515379.tif 000005
2020515379.tif 000006